(57)【要約】      （修正有）【課題】キャリアアグリゲーションをサポートする通信システムで端末が基地局にＳＲＳを送信する方法を提供する。【解決手段】ＦＤＤ方式を適用する構成キャリアと、ＴＤＤ方式を適用する構成キャリアとのアグリゲーションをサポートする通信システムで端末の通信方法は、基地局からＳＲＳ送信設定情報を受信する段階と、基地局からアップリンクデータスケジューリング情報を受信する段階と、ＳＲＳ送信及びアップリンクデータの同時送信が発生するか否かを判断する段階と、ＳＲＳ送信及びアップリンクデータの同時送信が発生する場合、ＦＤＤセルの第１シンボル、第２シンボル及びＴＤＤセルの第１シンボル、第２シンボルのそれぞれに対する送信電力の和が端末の最大送信電力を超過しないように、前記アップリンクデータ又はＳＲＳの送信を設定する段階と、を含む。【選択図】図２１
2019126069.tif 000002
【特許請求の範囲】
【請求項１】
周波数分割デュプレックス（ｆｒｅｑｕｅｎｃｙ  ｄｉｖｉｓｉｏｎ  ｄｕｐｌｅｘ、ＦＤＤ）モードで動作する第１セルに接続された端末の信号伝送方法であって、
時分割デュプレックス（ｔｉｍｅ  ｄｉｖｉｓｉｏｎ  ｄｕｐｌｅｘ、ＴＤＤ）モードで動作する第２セル上のＵｐＰＴＳ（ｕｐｌｉｎｋ  ｐｉｌｏｔ  ｔｉｍｅ  ｓｌｏｔ）内の２つのシンボル上におけるＳＲＳ（ｓｏｕｎｄｉｎｇ  ｒｅｆｅｒｅｎｃｅ  ｓｉｇｎａｌ）伝送を設定する情報を受信する段階と、
前記第１セル上のアップリンク制御情報伝送が、前記第２セル上のＳＲＳ伝送と第１サブフレームで重複するかと、短い物理アップリンク制御チャンネル（ｐｈｙｓｉｃａｌ  ｕｐｌｉｎｋ  ｃｏｎｔｒｏｌ  ｃｈａｎｎｅｌ、ＰＵＣＣＨ）フォーマットが使用されるように設定されたかとを確認する段階と、
前記アップリンク制御情報伝送と前記ＳＲＳ伝送が、前記第１サブフレームで重複し、前記短いＰＵＣＣＨフォーマットが使用されるように設定された場合、ＳＲＳを前記第２セルの前記第１サブフレーム内の前記ＵｐＰＴＳのうち２番目のシンボル上において伝送する段階と、
アップリンク制御情報を前記第１セルの前記第１サブフレームで前記短いＰＵＣＣＨフォーマットを使用して伝送する段階と、を含むことを特徴とする方法。
【発明の詳細な説明】
【技術分野】
【０００１】
本発明は、セルラー(ｃｅｌｌｕｌａｒ)無線通信システムに関し、特に、周波数分割デュプレックス(ＦＤＤ：Ｆｒｅｑｕｅｎｃｙ Ｄｉｖｉｓｉｏｎ Ｄｕｐｌｅｘ)方式を適用する構成キャリアと、時分割デュプレックス(ＴＤＤ：Ｔｉｍｅ Ｄｉｖｉｓｉｏｎ Ｄｕｐｌｅｘ)方式を適用する構成キャリアとのキャリアアグリゲーションをサポートする通信システムで端末が基地局にサウンディング参照信号(ＳＲＳ：ＳｏｕｎｄｉｎｇＲｅｆｅｒｅｎｃｅ Ｓｉｇｎａｌ)を送信する方法に関する。
【背景技術】
【０００２】
無線通信システムは、初期の音声中心のサービスを提供から脱して、例えば、３ＧＰＰ(３ｒｄＧｅｎｅｒａｔｉｏｎ Ｐａｒｔｎｅｒ ｓｈｉｐＰｒｏｊｅｃｔ)のＨＳＰＡ(Ｈｉｇｈ Ｓｐｅｅｄ Ｐａｃｋｅｔ ＡＣＣｅｓｓ)、ＬＴＥ(Ｌｏｎｇ ＴｅｒｍＥｖｏｌｕｔｉｏｎ)、３ＧＰＰ２(３ｒｄＧｅｎｅｒａｔｉｏｎ Ｐａｒｔｎｅｒｓｈｉｐ Ｐｒｏｊｅｃｔ２のＨＲＰＤ(ＨｉｇｈＲａｔｅ Ｐａｃｋｅｔ Ｄａｔａ)、ＵＭＢ(Ｕｌｔｒａ Ｍｏｂｉｌｅ Ｂｒｏａｄｂａｎｄ)、及びＩＥＥＥの８０２.１６ｅなどの通信標準と共に高速、ハイクオリティーのパケットデータサービスを提供する広帯域無線通信システムへ発展しつつある。
【０００３】
広帯域無線通信システムの代表的な例は、ＬＴＥシステムでダウンリンク(Ｄｏｗｎ  ｌｉｎｋ)は直交周波数分割多重(ＯＦＤＭ：ＯｒｔｈｏｇｏｎａｌＦｒｅｑｕｅｎｃｙＤｉｖｉｓｉｏｎＭｕｌｔｉｐｌｅｘｉｎｇ)方式を採用しており、アップリンク(Ｕｐｌｉｎｋ)は単一キャリア周波数分割多重接続(ＳＣ−ＦＤＭＡ：Ｓｉｎｇｌｅ Ｃａｒｒｉｅｒ ＦｒｅｑｕｅｎｃｙＤｉｖｉｓｉｏｎ Ｍｕｌｔｉｐｌｅ Ａｃｃｅｓｓ)方式を採用している。前記のような多重接続方式は、通常、各ユーザ別のデータ又は制御情報を送信する時間−周波数リソースが互いに重ならないように、すなわち、直交性(Ｏｒｔｈｏｇｏｎａｌｉｔｙ)がなるように、割り当て及び操作することによって各ユーザ別にデータ又は制御情報を区分する。
図１は、ＬＴＥシステムのアップリンクでデータ又は制御情報が送信される無線リソース源領域である時間−周波数領域の基本構造を示した図面である。
【０００４】
ＬＴＥシステムでアップリンク(ＵＬ：ｕｐｌｉｎｋ)とは、端末が基地局へデータ又は制御信号を送信する無線リンクを意味し、ダウンリンク(ＤＬ：ｄｏｗｎｌｉｎｋ)は基地局が端末へデータ又は制御信号を送信する無線リンクを意味する。
【０００５】
図１で横軸は時間領域を、縦軸は周波数領域を示す。時間領域における最小送信単位はＳＣ−ＦＤＭＡシンボルとして、Ｎｓｙｍｂ１０２個のＳＣ−ＦＤＭＡシンボルが集まって一つのスロット１０６を構成する。そして、２個のスロット１０６が集まって一つのサブフレーム１０５を構成し、１０個のサブフレーム１０５が集まって一つのラジオフレーム１０７を構成する。前記スロットの長さは０．５ｍｓであり、サブフレームの長さは１．０ｍｓであり、ラジオフレームの長さは１０ｍｓである。周波数領域における最小送信単位はサブキャリアである。
【０００６】
時間−周波数領域でリソースの基本単位は、リソースエレメント１１２(ＲＥ：Ｒｅｓｏｕｒｃｅ Ｅｌｅｍｅｎｔ)としてＳＣ−ＦＤＭＡシンボルインデックス及びサブキャリアインデックスで示すことができる。リソースブロック１０８(ＲＢ：Ｒｅｓｏｕｒｃｅ Ｂｌｏｃｋ)(若しくはＰＲＢ：Ｐｈｙｓｉｃａｌ Ｒｅｓｏｕｒｃｅ Ｂｌｏｃｋ)は、時間領域でＮｓｙｍｂ１０２個の連続されたＳＣ−ＦＤＭＡシンボルと、周波数領域でＮＲＢＳＣ１１０個の連続されたサブキャリアと、に定義される。したがって、一つのＲＢ１０８はＮｓｙｍｂｘＮＲＢＳＣ個のＲＥ１１２から構成される。一般的に、データの最小送信単位は前記ＲＢ１０８であり、システム送信帯域は総ＮＲＢ個のＲＢ１０８から構成される。そして、全体システム送信帯域は総ＮＲＢ x ＮＲＢＳＣ１０４個のサブキャリアから構成される。ＬＴＥシステムで一般的に前記Ｎｓｙｍｂ＝７、ＮＲＢＳＣ ＝１２である。
【０００７】
一方、ＬＴＥシステムは初期送信で復号失敗が発生された場合、物理階層で当該データを再送信するＨＡＲＱ(Ｈｙｂｒｉｄ Ａｕｔｏｍａｔｉｃ Ｒｅｐｅａｔｒｅ Ｑｕｅｓｔ)方式を採用している。ＨＡＲＱ方式とは、受信機がデータを正確に復号することができなかった場合、受信機が送信機に復号失敗を通知する情報(ＮＡＣＫ)を送信して送信機が物理階層で当該データを再送信することができるようにする。そして、受信機は送信機が再送信したデータを既存に復呼失敗したデータと結合してデータ受信性能を高める。また、受信機がデータを正確に復号した場合、復号成功を通知する情報(ＡＣＫ)を送信して送信機が新しいデータを送信するようにできる。
【０００８】
広帯域無線通信システムで高速の無線データサービスを提供するために重要なことのうちの一つは、拡張性帯域幅(ｓｃａｌａｂｌｅ ｂａｎｄｗｉｄｔｈ)のサポートである。その一例として、ＬＴＥシステムのシステム送信帯域は２０／１５／１０／５／３／１．４ＭＨｚなどの多様な帯域幅を有することが可能である。したがって、サービス事業者は多様な帯域幅のうちで特定帯域幅を選択してサービスを提供することができる。そして、端末機も最大２０ＭＨｚ帯域幅をサポートすることができることから最小１．４ＭＨｚ帯域幅のみをサポートすることなど多くの種類が存在することができる。
図２は、キャリアアグリゲーションをサポートするＬＴＥ−Ａシステムのシステム構成の一例を示した図面である。
【０００９】
図２は、基地局２０２が２個の構成キャリア(ＣＣ＃１、ＣＣ＃２のアグリゲーションをサポートし、ＣＣ＃１は周波数ｆ１から構成され、ＣＣ＃２はｆ１と異なる周波数ｆ２から構成される例を示す。ＣＣ＃１とＣＣ＃２は同一基地局２０２に備える。そして、基地局２０２はそれぞれの構成キャリアに相応するカバレッジ２０４、２０６を提供する。キャリアアグリゲーションをサポートするＬＴＥ−Ａシステムで、基本的にデータ送信及びデータ送信をサポートするための制御情報送信は当該構成キャリア別にそれぞれ行われる。図２の構成はダウンリンクキャリアアグリゲーションだけではなく、アップリンクキャリアアグリゲーションに対しても同様に適用可能である。
【００１０】
キャリアアグリゲーションシステムではそれぞれの構成キャリアをＰｃｅｌｌ又はＳｃｅｌｌに区分して操作する。Ｐｃｅｌｌ(Ｐｒｉｍａｒｙ Ｃｅｌｌ)(又は第１セル)は端末に基本的な無線リソースを提供し、端末が初期接続及びハンドオーバーなどの動作を行うのに基準となるセルを意味する。Ｐｃｅｌｌは、ダウンリンクＰｒｉｍａｒｙ ｆｒｅｑｕｅｎｃｙ(又はＰＣＣ：Ｐｒｉｍａｒｙ Ｃｏｍｐｏｎｅｎｔ Ｃａｒｒｉｅｒ)と、アップリンクＰｒｉｍａｒｙｆｒｅｑｕｅｎｃｙと、から構成される。そして、Ｓｃｅｌｌ(ＳｅｃｏｎｄａｒｙＣｅｌｌ)(又は第２セル)は、端末にＰｃｅｌｌと共に追加的な無線リソースを提供するセルとして、ダウンリンクｓｅｃｏｎｄａｒｙ ｆｒｅｑｕｅｎｃｙ(又はＳＣＣ：Ｓｅｃｏｎｄａｒｙ Ｃｏｍｐｏｎｅｎｔ Ｃａｒｒｉｅｒ)と、アップリンクｓｅｃｏｎｄａｒｙ ｆｒｅｑｕｅｎｃｙと、から構成される。本発明では別途の言及がない限り、セルと構成キャリアを混用して区分無しに用いる。
【００１１】
ＦＤＤ(Ｆｒｅｑｕｅｎｃｙ Ｄｉｖｉｓｉｏｎ Ｄｕｐｌｅｘ)方式は、ダウンリンクとアップリンクにそれぞれ別途の周波数を用いる。一方、ＴＤＤ(ＴｉｍｅＤｉｖｉｓｉｏｎ Ｄｕｐｌｅｘ)方式はダウンリンク及びアップリンクに共通の周波数を用いるが、時間領域でアップリンク信号とダウンリンク信号の送受信を区分して操作する。ＬＴＥ ＴＤＤ ではサブフレーム別にアップリンク又はダウンリンク信号を区分して送信する。したがって、アップリンク及びダウンリンクのトラフィック負荷(ｔｒａｆｆｉｃｌｏａｄ)に応じて、アップ／ダウンリンク用サブフレームを時間領域で均等に分割して操作したり、ダウンリンクにより多いサブフレームを割り当てて操作したり、若しくはアップリンクにより多いサブフレームを割り当てて操作することができる。
【００１２】
【表１】
2019126069.tif 000003
【００１３】
前記表１は、ＬＴＥに定義されたＴＤＤアップリンク−ダウンリンク設定(ＴＤＤ ｕｐｌｉｎｋ−ｄｏｗｎｌｉｎｋ ｃｏｎｆｉｇｕｒａｔｉｏｎ)を表す。表１で‘Ｄ'はダウンリンク送信用と設定されたサブフレームを表し、‘Ｕ'はアップリンク送信用と設定されたサブフレームを表す。そして、‘Ｓ'はＤｗＰＴＳ(Ｄｗｏｎｌｉｎｋ Ｐｉｌｏｔ Ｔｉｍｅ Ｓｌｏｔ)、ＧＰ(ＧｕａｒｄＰｅｒｉｏｄ)、ＵｐＰＴＳ(Ｕｐｌｉｎｋ Ｐｉｌｏｔ Ｔｉｍｅ Ｓｌｏｔ)から構成されるスペシャルサブフレーム(Ｓｐｅｃｉａｌ ｓｕｂｆｒａｍｅ)を表す。
図３は、ＬＴＥ ＴＤＤ システムのスペシャルサブフレームの構造を示した図面である。
【００１４】
図３を参考すれば、ＤｗＰＴＳ３０１では一般的なサブフレームと同様にダウンリンクで制御情報送信が可能であり、スペシャルサブフレームの設定状態に応じてＤｗＰＴＳ３０１の長さが十分に長い場合にダウンリンクデータ送信も可能である。ＧＰ３０２はダウンリンクからアップリンクに送信信号の遷移を収容する区間でネットワーク設定などに応じて長さが決定される。ＵｐＰＴＳ３０３は、１つ又は２つのＳＣ−ＦＤＭＡシンボルから構成されるが、基地局がアップリンクチャンネル状態を推定するのに必要な端末のＳＲＳ(Ｓｏｕｎｄｉｎｇ Ｒｅｆｅｒｅｎｃｅ Ｓｉｇｎａｌ)送信又はランダムアクセスのための端末のランダムアクセスプリアンブル送信に用いられる。
【００１５】
スペシャルサブフレームの長さは一般サブフレームと同様に１ｍｓである。そして、基地局設定に応じてＤｗＰＴＳ３０１は３乃至１２個のＯＦＤＭシンボルから構成され、ＵｐＰＴＳ３０３は１乃至２個のＳＣ−ＦＤＭＡシンボルから構成される。そして、ＧＰ３０２はスペシャルサブフレームの全体長さ１ｍｓのうちで前記ＤｗＰＴＳ３０１及びＵｐＰＴＳ３０３の長さを引いた残りの時間長さに該当する。
【００１６】
スペシャルサブフレームは前記表１に示されたようにＴＤＤアップリンク−ダウンリンク設定に応じてサブフレーム＃１又はサブフレーム＃６の位置に設定されることができる。
【００１７】
例えば、ＴＤＤアップリンク−ダウンリンク設定＃６の場合、サブフレーム＃０、＃５、＃９でダウンリンクデータ及び制御情報送信が可能であり、サブフレーム＃２、＃３、＃４、＃７、＃８でアップリンクデータ及び制御情報送信が可能である。そして、スペシャルサブフレームに該当するサブフレーム＃１、＃６ではダウンリンク制御情報と、場合によってダウンリンクデータ送信が可能であり、アップリンクではＳＲＳ(Ｓｏｕｎｄｉｎｇ Ｒｅｆｅｒｅｎｃｅ Ｓｉｇｎａｌ)又はＲＡＣＨ送信が可能である。
【００１８】
端末が送信したＳＲＳから基地局はアップリンクチャンネル状態を推定するのに、一般的にＳＲＳはサブフレーム内の最も最後のＳＣ−ＦＤＭＡシンボル位置に送信されることができる。
【００１９】
そして、ＴＤＤ方式が適用されるＬＴＥシステムでは前記スペシャルサブフレームのＵｐＰＴＳ区間では最大２個のＳＣ−ＦＤＭＡシンボルにかけてＳＲＳ送信が可能である。どのサブフレームでＳＲＳが送信可能であるか、ＵｐＰＴＳ区間でどのＳＣ−ＦＤＭＡシンボルにＳＲＳが送信可能であるかに対しては基地局が設定して端末にシグナリングを介して通知する。
【００２０】
既存のキャリアアグリゲーションをサポートするＬＴＥ−Ａシステムはそれぞれの構成キャリアに同じのデュプレックス(ｄｕｐｌｅｘ)方式を適用しなければならない制約条件がある。すなわち、ＦＤＤ方式を適用する構成キャリア同士キャリアアグリゲーションをしたり、若しくはＴＤＤ方式を適用する構成キャリア同士キャリアアグリゲーションをする。
【００２１】
本発明は構成キャリ別に互いに異なるデュプレックス(ｄｕｐｌｅｘ)方式を適用してキャリアアグリゲーションを行う場合、スペシャルサブフレームで端末がＳＲＳを送信する方法を提案する。
【発明の概要】
【発明が解決しようとする課題】
【００２２】
本発明は、ＦＤＤ方式を適用する構成キャリアと、ＴＤＤ方式を適用する構成キャリアと、のキャリアアグリゲーションをサポートする通信システムで端末が基地局にＳＲＳ(Ｓｏｕｎｄｉｎｇ Ｒｅｆｅｒｅｎｃｅ Ｓｉｇｎａｌ)を送信する方法を提供する。
【００２３】
本発明で達成しようとする技術的課題は、前述した技術的課題に制限されず、言及しないまた他の技術的課題は以下の記載で本発明が属する技術分野で通常の知識を有する者に明確に理解されることができるだろ。
【課題を解決するための手段】
【００２４】
前記目的を達成するための本発明の一実施形態によるＦＤＤ方式を適用する構成キャリアと、ＴＤＤ方式を適用する構成キャリアと、のアグリゲーションをサポートする通信システムで端末の通信方法は、基地局からＳＲＳ送信設定情報を受信する段階と、前記基地局からアップリンクデータスケジューリング情報を受信する段階と、前記ＳＲＳ送信及び前記アップリンクデータの同時送信が発生するか否かを判断する段階と、及び前記ＳＲＳ送信及び前記アップリンクデータの同時送信が発生する場合、ＦＤＤセルの第１シンボル、第２シンボル及びＴＤＤセルの第１シンボル、第２シンボルのそれぞれに対する送信電力の和が端末の最大送信電力を超過しないように、前記アップリンクデータ又は前記ＳＲＳの送信を設定する段階と、を含むことができる。この時、前記ＦＤＤセルの第１シンボルのタイミングは前記ＴＤＤセルの第１シンボルのタイミングに相応して、前記ＦＤＤセルの第２シンボルのタイミングは前記ＴＤＤセルの第２シンボルのタイミングに相応する。
【００２５】
また、前記目的を達成するための本発明の一実施形態によるＦＤＤ方式を適用する構成キャリアと、ＴＤＤ方式を適用する構成キャリアと、のアグリゲーションをサポートする通信システムで基地局の通信方法は、端末にＳＲＳ送信設定情報を送信する段階と、前記端末にアップリンクデータスケジューリング情報を送信する段階と、を含むことができる。この時、前記ＳＲＳ送信設定情報及び前記アップリンクデータスケジューリング情報は前記ＳＲＳ送信及び前記アップリンクデータの同時送信が発生する場合、ＦＤＤセルの第１シンボル、第２シンボル及びＴＤＤセルの第１シンボル、第２シンボルのそれぞれに対する送信電力の和が端末の最大送信電力を超過しないように、前記アップリンクデータ又は前記ＳＲＳの送信を設定した設定情報を含み、前記ＦＤＤセルの第１シンボルのタイミングは前記ＴＤＤセルの第１シンボルのタイミングに相応して、前記ＦＤＤセルの第２シンボルのタイミングは前記ＴＤＤセルの第２シンボルのタイミングに相応する。
【００２６】
また、前記目的を達成するための本発明の一実施形態によるＦＤＤ方式を適用する構成キャリアと、ＴＤＤ方式を適用する構成キャリアと、のアグリゲーションをサポートする通信システムの端末は、基地局と通信する通信部と、及び前記基地局からＳＲＳ送信設定情報を受信し、前記基地局からアップリンクデータスケジューリング情報を受信し、前記ＳＲＳ送信及び前記アップリンクデータの同時送信が発生するか否かを判断し、前記ＳＲＳ送信及び前記アップリンクデータの同時送信が発生する場合、ＦＤＤセルの第１シンボル、第２シンボル及びＴＤＤセルの第１シンボル、第２シンボルのそれぞれに対する送信電力の和が端末の最大送信電力を超過しないように、前記アップリンクデータ又は前記ＳＲＳの送信を設定するように制御する制御部と、を含むことができる。この時、前記ＦＤＤセルの第１シンボルのタイミングは前記ＴＤＤセルの第１シンボルのタイミングに相応し、前記ＦＤＤセルの第２シンボルのタイミングは前記ＴＤＤセルの第２シンボルのタイミングに相応する。
【００２７】
また、前記目的を達成するための本発明の一実施形態によるＦＤＤ方式を適用する構成キャリアと、ＴＤＤ方式を適用する構成キャリアと、のアグリゲーションをサポートする通信システムの基地局は、端末と通信する通信部と、及び前記端末にＳＲＳ送信設定情報を送信し、前記端末にアップリンクデータスケジューリング情報を送信するように制御する制御部と、を含むことができる。この時、前記ＳＲＳ送信設定情報及び前記アップリンクデータスケジューリング情報は前記ＳＲＳ送信及び前記アップリンクデータの同時送信が発生する場合、ＦＤＤセルの第１シンボル、第２シンボル及びＴＤＤセルの第１シンボル、第２シンボルのそれぞれに対する送信電力の和が端末の最大送信電力を超過しないように、前記アップリンクデータ又は前記ＳＲＳの送信を設定した設定情報を含み、前記ＦＤＤセルの第１シンボルのタイミングは前記ＴＤＤセルの第１シンボルのタイミングに相応して、前記ＦＤＤセルの第２シンボルのタイミングは前記ＴＤＤセルの第２シンボルのタイミングに相応する。
【発明の効果】
【００２８】
本発明は、無線通信システムで端末のＳＲＳ送信方法を定義することによって、端末がアップリンクデータを効率的に送信することができるようになる。
【００２９】
本発明で得られる効果は以上で言及した効果に制限されず、言及しないまた他の効果は以下の記載で本発明が属する技術分野で通常の知識を有する者に明確に理解されることができるだろう。
【図面の簡単な説明】
【００３０】
【図１】ＬＴＥシステムのアップリンク時間−周波数領域の基本構造を示した図面である。
【図２】キャリアアグリゲーションをサポートするＬＴＥ−Ａシステムのシステム構成の一例を示した図面である。
【図３】ＬＴＥ ＴＤＤシステムのスペシャルサブフレームの構造を示した図面である。
【図４】ＴＤＤセルのスペシャルサブフレームとＦＤＤセルのサブフレームが互いに時間的に重ねる一例を示した図面である。
【図５】本発明の第１実施形態の方法１を示した図面である。
【図６】本発明の第１実施形態の方法２を示した図面である。
【図７】本発明の第１実施形態の方法３を示した図面である。
【図８】本発明の第１実施形態の方法４を示した図面である。
【図９】本発明の第２実施形態の方法１を示した図面である。
【図１０】本発明の第２実施形態の方法２を示した図面である。
【図１１】本発明の第２実施形態の方法３を示した図面である。
【図１２】本発明の第３実施形態の方法１を示した図面である。
【図１３】本発明の第３実施形態の方法２を示した図面である。
【図１４】本発明の第３実施形態の方法３を示した図面である。
【図１５】本発明の第３実施形態の方法４を示した図面である。
【図１６】本発明の第４実施形態の方法１を示した図面である。
【図１７】本発明の第４実施形態の方法２を示した図面である。
【図１８】本発明の第４実施形態の方法３を示した図面である。
【図１９】本発明の第５実施形態の方法を示した図面である。
【図２０】本発明の一実施形態による基地局の手続きを示した図面である。
【図２１】本発明の一実施形態による端末の手続きを示した図面である。
【図２２】本発明の一実施形態による端末の送信装置を示した図面である。
【図２３】本発明の一実施形態による基地局の受信装置を示した図面である。
【図２４】本発明の第６実施形態の方法を示した図面である。
【図２５】本発明の第６実施形態による基地局の手続きを示した図面である。
【図２６】本発明の第６実施形態による端末の手続きを示した図面である。
【図２７】本発明の他の一実施形態による端末の送信装置を示した図面である。
【図２８】本発明の他の一実施形態による基地局の受信装置を示した図面である。
【発明を実施するための形態】
【００３１】
以下、本発明の実施形態を添付した図面と共に詳しく説明する。また、本発明を説明するにおいて関連する公知機能又は構成に対する具体的な説明が本発明の要旨を不必要にすることができると判断された場合、その詳細な説明は省略する。そして、後述される用語は本発明における機能を考慮して定義された用語として、これはユーザ、操作者の意図又は慣例などによって変わることができる。したがって、その定義は本明細書の全般にわたった内容に基づいて下ろされなければならないだろう。
【００３２】
以下、基地局は端末のリソース割り当てを行う主体として、ｅＮｏｄｅＢ、ｅＮＢ、ＮｏｄｅＢ、ＢＳ(Ｂａｓｅ Ｓｔａｔｉｏｎ)、無線接続ユニット、基地局制御機、又はネットワーク上のノードのうちの少なくとも一つであることができる。
【００３３】
端末は、ＵＥ(Ｕｓｅｒ Ｅｑｕｉｐｍｅｎｔ)、ＭＳ(Ｍｏｂｉｌｅ Ｓｔａｔｉｏｎ)、セルラーフォン、スマートフォン、コンピューター、又は通信機能を行うことができるマルチミディアシステムを含むことができる。
【００３４】
そして、本発明はＥ−ＵＴＲＡ(又はＬＴＥと称する)又はＡｄｖａｎｃｅｄ Ｅ−ＵＴＲＡ(又はＬＴＥ−Ａと称する)システムを一例として具体的な実施形態を説明するが、類似の技術的背景及び／又はチャンネル形態を有するその他の通信システムにも本発明の実施形態が適用されることができる。
【００３５】
また、本発明の実施形態は熟練された技術的知識を有する者の判断として本発明の範囲を大きく外れない範囲で一部変形を介して他の通信システムにも適用されることができる。
【００３６】
本発明は、構成キャリア別に互いに異なるデュプレックス(ｄｕｐｌｅｘ)方式を適用してキャリアアグリゲーションを行う場合、スペシャルサブフレームで端末がサウンディング参照信号(ＳＲＳ：Ｓｏｕｎｄｉｎｇ Ｒｅｆｅｒｅｎｃｅ Ｓｉｇｎａｌ)を送信する方法を定義する。
以下、図面を参照して本発明が解決しようとする課題を具体的に説明する。
図４は、ＴＤＤセルのスペシャルサブフレームとＦＤＤセルのサブフレームが互いに時間的に重ねる一例を示した図面である。
【００３７】
図４を参考すれば、ＦＤＤ方式を適用するセル(又は構成キャリア)とＴＤＤ方式を適用するセル(又は構成キャリア)をアグリゲーションして操作するキャリアアグリゲーションシステムで、ＴＤＤセル４０２のスペシャルサブフレーム４０８とＦＤＤセル４０１のサブフレーム４０３が互いに時間的に重ねる場合が例示されている。そして、ＴＤＤセル４０２の場合、スペシャルサブフレーム４０８のＵｐＰＴＳ４０７が２個のＳＣ−ＦＤＭＡシンボル長さほど設定された場合を示す。そして、前記ＦＤＤセル４０１のサブフレーム４０３の区間の間の端末が基地局からアップリンクデータ送信をスケジューリングされてＰＵＳＣＨ(ＰｈｙｓｉｃａｌＵｐｌｉｎｋＳｈａｒｅｄＣｈａｎｎｅｌ)を送信し、ＴＤＤセル４０２のスペシャルサブフレーム４０８のＵｐＰＴＳ４０７区間の間のＳＲＳを送信する場合を仮定する。
ＰＵＳＣＨは端末が基地局へ送信するアップリンクデータを送信する物理チャンネルである。
【００３８】
前記ＰＵＳＣＨに対するチャンネル推定用途でＲＳ(Ｒｅｆｅｒｅｎｃｅ Ｓｉｇｎａｌ)４０９、４１０が送信される。したがって、前記ＰＵＳＣＨはサブフレーム内で前記ＲＳ４０９、４１０が位置するシンボルを除いた残り区間４１１、４１２、４１３にマッピングされて基地局に送信される。
【００３９】
そして、前記ＵｐＰＴＳ４０７区間の間の１個又は２個のＳＲＳシンボルを送信するか否かと、１個のＳＲＳを送信する場合、ＵｐＰＴＳ４０７のどのシンボル位置にＳＲＳを送信するかなどの設定は基地局が決定して端末に上位階層シグナリングを介して通知する。
【００４０】
この場合、前記ＵｐＰＴＳ４０７に該当する区間の間の端末がＦＤＤセル４０１でＰＵＳＣＨを送信しながら、同時にＴＤＤセル４０２へＳＲＳを送信すべきで、ＰＵＳＣＨ送信電力とＳＲＳ送信電力の総合が端末の最大許容送信電力を超過する問題が発生することができる。したがって、ＰＵＳＣＨとＳＲＳの具体的な送信方法を定義する必要がある。
【００４１】
＜第１実施形態＞
第１実施形態は前記図４のような条件で、端末がＦＤＤセルでＰＵＳＣＨを送信しながら同時にＴＤＤセルでＳＲＳを送信しようとする場合に対する具体的な動作を定義する。第１実施形態は端末がＴＤＤセルでＵｐＰＴＳ区間の間のＳＲＳを２シンボル送信しようとする場合に対する方法を説明する。
【００４２】
１）方法１
図５は、本発明の第１実施形態の方法１を示した図面である。
方法１は端末がＴＤＤセル５０２で送信しようとする２個のＳＲＳシンボルのうちの第１ＳＲＳシンボルは送信せず第２ＳＲＳシンボルだけ送信し、ＦＤＤセル５０１へ送信しようとするＰＵＳＣＨはサブフレーム内の最後のシンボル区間に対してレートマッチング(ＲａｔｅＭａｔｃｈｉｎｇ)してＰＵＳＣＨを送信する。一般的に。端末が送信しようとするデータにエラー訂正能力を付加するためにチャンネルコーディングを行うが、実際端末が基地局からスケジューリングされたリソース量に当たるようにチャンネルコーディングされた出力ビット列の大きさを調節して時間−周波数リソースにマッピングする動作をレートマッチングと言う。
【００４３】
図５を参照して方法１を説明すれば次の通りである。端末はＴＤＤセル５０２のスペシャルサブフレーム５０４で２つのＳＣ−ＦＤＭＡシンボル時間長さに該当するＵｐＰＴＳ区間５０７のうちで、第１ＳＲＳシンボル５０８は送信せず、第２ＳＲＳシンボル５０９を送信する。
【００４４】
ＦＤＤセル５０１の場合、前記ＵｐＰＴＳ区間５０７の第２ＳＲＳシンボル５０９と送信時点が重ねる最後のＳＣ−ＦＤＭＡシンボル区間５１０にはＰＵＳＣＨを送信しない。そして、ＦＤＤセル５０１の当該サブフレーム５０３内で前記最後のＳＣ−ＦＤＭＡシンボル位置５１０及びＲＳシンボル位置５１２、５１３を除いた残りの時間区間の間のチャンネルコーディングされたアップリンクデータをレートマッチングしてＰＵＳＣＨを構成して送信することができる(５１１)。したがって、端末のアップリンク信号送信観点で、前記ＦＤＤセル５０１のサブフレーム５０３又はＴＤＤセル５０２のスペシャルサブフレーム５０４区間の間、任意の時点にＦＤＤセル５０１とＴＤＤセル５０２で同時にアップリンク信号送信が発生する場合を回避することによって、ＰＵＳＣＨ送信電力とＳＲＳ送信電力の総合が端末の最大許容送信電力を超過する問題を解決することができる。方法１の場合、送信しようとするＰＵＳＣＨとＳＲＳに対し、それぞれ一つのシンボルずつ送信をしないことによって、ＰＵＳＣＨとＳＲＳ皆過度な送信損失が発生しないようにする特徴がある。
【００４５】
２）方法２
図６は、本発明の第１実施形態の方法２を示した図面である。
図６を参照して方法２を説明すれば次の通りである。方法２は、ＴＤＤセル６０２のスペシャルサブフレーム６０４で２つのＳＣ−ＦＤＭＡシンボル時間長さに該当するＵｐＰＴＳ区間６０７の間、第１ＳＲＳシンボル６０８と第２ＳＲＳシンボル６０９をすべて送信する。ＦＤＤセル６０１の場合、前記ＵｐＰＴＳ区間６０７の第１ＳＲＳシンボル６０８及び第２ＳＲＳシンボル６０９の送信時点と送信時点が重ねる最後の２つのＳＣ−ＦＤＭＡシンボル区間６１０、６１１にはＰＵＳＣＨを送信しない。そして、ＦＤＤセル６０１の当該サブフレーム６０３内で前記最後の２つのＳＣ−ＦＤＭＡシンボル区間６１０、６１１及びＲＳシンボル位置６１３、６１４を除いた残りの時間区間の間のチャンネルコーディングされたアップリンクデータをレートマッチングしてＰＵＳＣＨを構成して送信することができる(６１２)。ＰＵＳＣＨの場合、ＳＲＳと異なり、現在サブフレームに送信されたＰＵＳＣＨにエラーが発生する場合、ＨＡＲＱを通じる再送信でエラーを復旧することができる可能性がある。このような特徴を用い、方法２はできればＳＲＳ送信に優先させる特徴を有する。
【００４６】
３）方法３
図７は、本発明の第１実施形態の方法３を示した図面である。  
図７を参照して方法３を説明すれば次の通りである。方法３は、ＴＤＤセル７０２のスペシャルサブフレーム７０４で２つのＳＣ−ＦＤＭＡ シンボル時間長さに該当するＵｐＰＴＳ区間７０７の間、第１ＳＲＳシンボル７０８と第２ＳＲＳシンボル７０９をすべて送信しない。ＦＤＤセル７０１の場合、サブフレーム７０３内でＲＳシンボル位置７１１、７１２を除いたＳＣ−ＦＤＭＡシンボルにかけてチャンネルコーディングされたアップリンクデータをレートマッチングしてＰＵＳＣＨを構成して送信する(７１０)。方法３はＳＲＳ送信よりＰＵＳＣＨ送信に優先させる特徴がある。
【００４７】
４）方法４
図８は、本発明の第１実施形態の方法４を示した図面である。
図８を参照して方法４を説明すれば次の通りである。方法４は、ＴＤＤセル８０２のスペシャルサブフレーム８０４で２つのＳＣ−ＦＤＭＡ シンボル時間長さに該当するＵｐＰＴＳ区間８０７の間、第１ＳＲＳシンボル８０８と第２ＳＲＳシンボル８０９をすべて送信する。そして、ＦＤＤセル８０１の場合、サブフレーム８０３内でＲＳシンボル位置８１１、８１２を除いたＳＣ−ＦＤＭＡシンボルにかけてチャンネルコーディングされたアップリンクデータをレートマッチングしてＰＵＳＣＨを構成して送信する(８１０)。
【００４８】
ただ、ＦＤＤセル８０１とＴＤＤセル８０２へのアップリンク信号送信が同時に発生する前記ＵｐＰＴＳ区間８０７間のＰＵＳＣＨ送信電力とＳＲＳ送信電力の総合が端末の最大許容送信電力以内に維持するようにする、ＰＵＳＣＨ送信電力又はＳＲＳ送信電力を調節する。例えば、もし、ＰＵＳＣＨ送信に優先させる場合、ＳＲＳ送信電力を必要な送信電力より低い値と調節し、前記ＵｐＰＴＳ区間８０７の間のＰＵＳＣＨ送信電力とＳＲＳ送信電力の総合が端末の最大許容送信電力以内に維持するようにする。さらに、もし、ＳＲＳ送信に優先させる場合、ＰＵＳＣＨ送信電力を必要な送信電力より低い値と調節し、前記ＵｐＰＴＳ区間８０７の間のＰＵＳＣＨ送信電力とＳＲＳ送信電力の総合が端末の最大許容送信電力以内に維持するようにする。さらに、ＳＲＳ送信電力とＰＵＳＣＨ送信電力をそれぞれ必要な送信電力より低い値と調節し、前記ＵｐＰＴＳ区間の８０７の間のＰＵＳＣＨ送信電力とＳＲＳ送信電力の総合が端末の最大許容送信電力以内に維持するようにするできる。
【００４９】
一般的に、ＰＵＳＣＨ送信電力はＰＵＳＣＨが送信される一つのサブフレーム内で一定するように維持して受信機動作を容易にする。したがって実施形態によって前記ＵｐＰＴＳ区間８０７と重ねるＳＣ−ＦＤＭＡシンボル区間の間のにＰＵＳＣＨ送信電力が調節されて送信される場合に、前記調節されたＰＵＳＣＨ送信電力の値は前記ＵｐＰＴＳ区間８０７と重ねるＳＣ−ＦＤＭＡ シンボル区間だけではなくサブフレーム内でＰＵＳＣＨが送信される残りシンボル区間に対しても同様に適用することができる。
【００５０】
前記端末の送信電力調節時のＳＲＳ信号送信に優先させるか、あるいはＰＵＳＣＨ信号送信に優先させるか、若しくはＳＲＳ信号送信とＰＵＳＣＨ信号送信を優先順位無しに同等にするか否かは基地局が上位階層シグナリングを介して端末に通知して知らせることができる。そして、前記方法１乃至方法４のいずれか１つの方法を適用するかは予め定義したり、又は基地局が上位階層シグナリングを介して端末に通知することができる。さらに、実施形態によって、前記ＰＵＳＣＨが初期送信であるかそれとも再送信であるか否かによって前記方法１乃至方法４のいずれか１つの方法を適用するか定義することができる。例えば、ＰＵＳＣＨが初期送信であればＰＵＳＣＨ送信に優先させる前記方法３を適用し、ＰＵＳＣＨが再送信であればＳＲＳ送信に優先させる前記方法２を適用することができる。何故ならば、ＰＵＳＣＨが再送信の場合であれば、基地局受信機で初期送信ＰＵＳＣＨと再送信ＰＵＳＣＨをアグリゲーションするＨＡＲＱプロセッシングを介してＰＵＳＣＨのデコーディング成功確率が高くなることができるので、相対的にＰＵＳＣＨの再送信時にはＳＲＳ送信に優先させることができる。
【００５１】
＜第２実施形態＞
第２実施形態は、前記図４のような条件で、端末がＦＤＤセルでＰＵＳＣＨを送信すると共にＴＤＤセルでＳＲＳを送信しようとする場合に対する具体的な動作を定義する。第２実施形態は端末がＴＤＤセルでＵｐＰＴＳ区間の間のＳＲＳを２シンボル送信し、ＦＤＤセルでＰＵＳＣＨとＳＲＳを送信しようとする場合に対する方法を説明する。
【００５２】
１）方法１
図９は、本発明の第２実施形態の方法１を示した図面である。
図９を参照して方法１を説明すれば次の通りである。方法１は、端末がＴＤＤセル９０２で送信しようとする２個のＳＲＳシンボルのうちの第１ＳＲＳシンボル９０８は送信せず第２ＳＲＳシンボル９０９だけ送信する。そして、ＦＤＤセル９０１で送信しようとするＳＲＳはサブフレーム９０３内の最後のシンボルにマッピングして送信する(９１０)。また、ＦＤＤセル９０１で送信しようとするデータはサブフレーム９０３内のＳＲＳが送信される最後のシンボル位置９１０及びＲＳシンボル位置９１２、９１３を除いた残りの区間に対してレートマッチングしてＰＵＳＣＨを構成して送信する(９１１)。
【００５３】
この時、端末はＦＤＤセル９０１に送信されるＳＲＳ９１０の送信電力とＴＤＤセル９０２に送信されるＳＲＳ９０９の送信電力の総合が端末の最大許容送信電力を超過しないように、それぞれのＳＲＳ送信電力の大きさを調節することができる。前記調節されるＳＲＳ送信電力の大きさは優先順位によって決定されることができる。例えば、ＦＤＤセル９０１とＴＤＤセル９０２にそれぞれ送信されるＳＲＳ９１０、９０９が同等に重要な場合、ＦＤＤセル９０１で送信されるＳＲＳ９１０の送信電力とＴＤＤセル９０２で送信されるＳＲＳ９０９の送信電力を同等の割合で減少させて電力調節されたＳＲＳ送信電力の総合が端末の最大許容送信電力を超過しないようにできる。もし、ＦＤＤセル９０１に送信されるＳＲＳ９１０に優先させる場合、ＴＤＤセル９０２で送信されるＳＲＳ９０９の送信電力を相対的に多く減少させ、ＦＤＤセル９０１に送信されるＳＲＳ９１０の送信電力は相対的に少なくて減少させたり、若しくは減少させないことによって、電力調節されたＳＲＳ送信電力の総合が端末の最大許容送信電力を超過しないようにすることもできる。実施形態によって前記優先順位は基地局が設定して端末に上位階層シグナリングを介して通知することができる。
【００５４】
２）方法２
図１０は、本発明の第２実施形態の方法２を示した図面である。
図１０を参照して方法２を説明すれば次の通りである。方法２はＴＤＤセル１００２のスペシャルサブフレーム１００４で２つのＳＣ−ＦＤＭＡシンボル時間長さに該当するＵｐＰＴＳ区間１００７の間、第１ＳＲＳシンボル１００８と第２ＳＲＳシンボル１００９をすべて送信する。
【００５５】
ＦＤＤセル１００１で送信しようとするＳＲＳはサブフレーム１００３内の最後のシンボル１０１０にマッピングして送信する。前記方法１と共に端末はＦＤＤセル１００１で送信されるＳＲＳ１０１０の送信電力とＴＤＤセルで送信されるＳＲＳ１００９の送信電力の総合が端末の最大許容送信電力を超過しないように、それぞれのＳＲＳ送信電力の大きさを優先順位によって調節することができる。
【００５６】
この時、ＦＤＤセル１００１で送信しようとするアップリンクデータに対してはサブフレーム１００３内で前記ＵｐＰＴＳ区間１００７と重ねる区間及びＲＳシンボル位置１０１３、１０１４を除いた区間にかけてチャンネルコーディングされたアップリンクデータをレートマッチングしてＰＵＳＣＨを構成して送信する１０１２。したがって、前記サブフレーム１００３の最後の第２シンボル１０１１にはアップリンク信号送信がならない。
【００５７】
方法２は、ＦＤＤセル１００１で送信されるＰＵＳＣＨを構成するシンボル個数が減少することによって発生することができるＰＵＳＣＨ送信損失を甘んじながら、ＴＤＤセル１００２でできれば ２シンボルＳＲＳ送信が成り立つことによってＴＤＤセル１００２のチャンネル状態を基地局が相対的に正確に測定するようにする特徴がある。
【００５８】
３）方法３
図１１は、本発明の第２実施形態の方法３を示した図面である。
図１１を参照して方法３を説明すれば次の通りである。方法３はＴＤＤセル１１０２のスペシャルサブフレーム１１０４で２つのＳＣ−ＦＤＭＡシンボル時間長さに該当するＵｐＰＴＳ区間の１１０７の間、第１ＳＲＳシンボル１１０８と第２ＳＲＳシンボル１１０９をすべて送信する。そして、ＦＤＤセル１１０１の場合、サブフレーム１１０３内の最後のシンボル１１１０にＳＲＳをマッピングして送信する。そして、前記サブフレーム１１０３で前記ＳＲＳがマッピングされるシンボル１１１０及びＲＳシンボル位置１１１２、１１１３を除いた残りの区間の間のチャンネルコーディングされたアップリンクデータをレートマッチングしてＰＵＳＣＨを構成して送信する(１１１１)。
【００５９】
ただ、ＦＤＤセル１１０１とＴＤＤセル１１０２へのアップリンク信号送信が同時に発生する前記ＵｐＰＴＳ区間の１１０７の間、ＦＤＤセル１１０１で送信されるアップリンク信号の送信電力とＴＤＤセル１１０２で送信されるアップリンク信号の送信電力の総合が端末の最大許容送信電力以内に維持するようにするそれぞれのアップリンク信号の送信電力を調節する。この場合、前記方法１のように各セル別又はアップリンクに送信される信号タイプ別に優先順位を定義して送信電力調節ができる。
【００６０】
一般的に、ＰＵＳＣＨ送信電力はＰＵＳＣＨ街送信される一つのサブフレーム内で一定するように維持して受信機動作を容易にする。したがって、実施形態によって前記ＵｐＰＴＳ区間１１０７と重ねるＳＣ−ＦＤＭＡシンボル区間の間にＰＵＳＣＨ送信電力が調節されて送信される場合に、前記調節されたＰＵＳＣＨ送信電力の値は前記ＵｐＰＴＳ区間１１０７と重ねるＳＣ−ＦＤＭＡシンボル区間だけではなくサブフレーム内でＰＵＳＣＨが送信される残りのシンボル区間に対しても同様に適用することができる。
【００６１】
前記第１実施形態と類似に、本願の２実施形態の前記方法１乃至方法３のうちのいずれか１つの方法を適用するかは事前に予め定義したり、あるいは基地局が上位階層シグナリングを介して端末に通知して知らせることができる。若しくは実施形態によって、前記ＰＵＳＣＨが初期送信であるかそれとも再送信であるか否かによって前記方法１乃至方法３のうちのいずれか１つの方法を適用するか定義することができる。例えば、ＰＵＳＣＨが初期送信であればＰＵＳＣＨ送信に優先させる前記方法１を適用し、ＰＵＳＣＨが再送信であればＳＲＳ送信に優先させる前記方法２を適用することができる。何故ならば、ＰＵＳＣＨが再送信の場合であれば、基地局受信機で初期送信ＰＵＳＣＨと再送信ＰＵＳＣＨをアグリゲーションするＨＡＲＱプロセッシングを介してＰＵＳＣＨのデコーディング成功確率が高くなることができるので、相対的にＰＵＳＣＨの再送信時にはＳＲＳ送信に優先させることができる。
【００６２】
実施形態によって、前記第１実施形態乃至第２実施形態の変形された実施形態として端末がＦＤＤセルでＰＵＳＣＨを送信し、ＴＤＤセルでＵｐＰＴＳ２シンボル区間の間のランダムアクセスプリアンブルを送信する場合の動作を定義することができる。一般的に、ＰＵＳＣＨは ＨＡＲＱ動作を適用することによって追加的なエラー訂正が可能であるので、前記のようにＰＵＳＣＨとランダムアクセスプリアンブル送信時点が重ねる場合、ランダムアクセスプリアンブル送信に優先させることができる。さらに、ＵｐＰＴＳ区間でのランダムアクセスプリアンブルの長さは２シンボル区間で固定されているので、前記第１実施形態乃至第２実施形態においてＵｐＰＴＳで２シンボルアップリンク信号送信が可能な方法である第１実施形態の方法２、方法４、第２実施形態の方法２、方法３を適用することができる。ただ、この場合、上述した第１実施形態乃至第２実施形態の具体的な方法説明でＳＲＳをランダムアクセスプリアンブルで取り替える。そして、ランダムアクセスプリアンブルの受信性能劣化を防止するため、ランダムアクセスプリアンブルの送信電力はＵｐＰＴＳ区間の間の一定な値で維持させることができる。
【００６３】
＜第３実施形態＞
第３実施形態は、前記図４のような条件で、端末がＦＤＤセルでＰＵＳＣＨを送信しながら同時にＴＤＤセルでＳＲＳを送信しようとする場合に対する具体的な動作を定義する。第３実施形態は端末がＴＤＤセルでＵｐＰＴＳ区間の間の第１シンボル位置でＳＲＳを送信しようとする場合に対する方法を説明する。
【００６４】
１）方法１
図１２は、本発明の第３実施形態の方法１を示した図面である。
方法１は端末がＴＤＤセル１２０２で送信しようとするＳＲＳシンボルは送信せず、ＦＤＤセル１２０１で送信しようとするＰＵＳＣＨはサブフレーム内の全体シンボルを用いて送信する。図１２を参照して方法１を説明すれば次の通りである。端末は、ＴＤＤセル１２０２のスペシャルサブフレーム１２０４で送信しようとするＳＲＳシンボル１２０８を送信しない。ＦＤＤセル１２０１の場合、ＵｐＰＴＳ区間１２０７と重ねる区間を含んでサブフレーム１２０３内の全体シンボルのうちでＲＳシンボル位置１２１０、１２１１を除いた残りのシンボル区間にかけてチャンネルコーディングされたアップリンクデータをレートマッチングしてＰＵＳＣＨを構成して送信する１２０９)。したがって、端末のアップリンク信号送信観点で、前記サブフレーム１２０３又はスペシャルサブフレーム１２０４区間の間、任意の時点にＦＤＤセル１２０１とＴＤＤセル１２０２で同時にアップリンク信号送信が発生する場合を回避することによって、ＰＵＳＣＨ送信電力とＳＲＳ送信電力の総合が端末の最大許容送信電力を超過する問題を解決する。方法１の場合、ＴＤＤセル１２０２のＳＲＳ送信をしないことによって、ＰＵＳＣＨ送信に優先させる特徴がある。
【００６５】
２）方法２
図１３は、本発明の第３実施形態の方法２を示した図面である。
図１３を参照して方法２を説明すれば次の通りである。方法２はＴＤＤセル１３０２のスペシャルサブフレーム１３０４で２つのＳＣ−ＦＤＭＡシンボル時間長さに該当するＵｐＰＴＳ区間１３０７の第１シンボル位置でＳＲＳシンボル１３０８を送信する。ＦＤＤセル１３０１の場合、前記ＵｐＰＴＳ区間１３０７のＳＲＳシンボル１３０８と送信時点が重ねるＳＣ−ＦＤＭＡシンボル区間１３１０にはＰＵＳＣＨを送信しない。そして、ＦＤＤセル１３０１の該当のサブフレーム１３０３内で前記ＳＲＳシンボル１３０８と送信時点が重ねるＳＣ−ＦＤＭＡ シンボル区間１３１０及びＲＳシンボル位置１３１２、１３１３を除いた残りの時間区間１３０９、１３１１間チャンネルコーディングされたアップリンクデータをレートマッチングしてＰＵＳＣＨを構成して送信する。
【００６６】
３）方法３
図１４は、本発明の第３実施形態の方法３を示した図面である。
図１４を参照して方法３を説明すれば次の通りである。方法３はＴＤＤセル１４０２のスペシャルサブフレーム１４０４で２つのＳＣ−ＦＤＭＡシンボル時間長さに該当するＵｐＰＴＳ１４０７の第１シンボル位置でＳＲＳシンボル１４０８を送信する。ＦＤＤセル１４０１の場合、前記ＵｐＰＴＳ１４０７と送信時点が重ねるサブフレーム１４０３内の最後の２つのＳＣ−ＦＤＭＡシンボル１４１０、１４１１及びＲＳシンボル位置１４１２、１４１３を除いた残りの区間にかけてチャンネルコーディングされたアップリンクデータをレートマ２ッチングしてＰＵＳＣＨを構成して送信する(１４０９)。方法３はＰＵＳＣＨ送信よりＳＲＳ送信に優先させる特徴がある。
【００６７】
４）方法４
図１５は、本発明の第３実施形態の方法４を示した図面である。
図１５を参照して方法４を説明すれば次の通りである。方法４は、ＴＤＤセル１５０２のスペシャルサブフレーム１５０４で２つのＳＣ−ＦＤＭＡシンボル時間長さに該当するＵｐＰＴＳ１５０７の第１シンボル位置にＳＲＳシンボル１５０８を送信する。そして、ＦＤＤセル１５０１の場合、サブフレーム１５０３内でＲＳシンボル位置１５１１、１５１２を除いた残りのシンボルにかけてチャンネルコーディングされたアップリンクデータをレートマッチングしてＰＵＳＣＨを構成して送信する(１５１０)。
【００６８】
ただ、ＦＤＤセル１５０１とＴＤＤセル１５０２へのアップリンク信号送信が同時に発生する前記ＵｐＰＴＳ区間１５０７のＳＲＳシンボル１５０８位置でＰＵＳＣＨ送信電力とＳＲＳ送信電力の総合が端末の最大許容送信電力以内に維持するようにする、ＰＵＳＣＨ送信電力又はＳＲＳ送信電力を調節する。例えば、もし、ＰＵＳＣＨ送信に優先させる場合、ＳＲＳ送信電力を必要な送信電力より低い値と調節し、前記ＳＲＳシンボル１５０８位置でＰＵＳＣＨ送信電力とＳＲＳ送信電力の総合が端末の最大許容送信電力以内に維持するようにする。さらに、もし、ＳＲＳ送信に優先させる場合、ＰＵＳＣＨ送信電力を必要な送信電力より低い値と調節し、前記ＳＲＳシンボル１５０８位置でＰＵＳＣＨ送信電力とＳＲＳ送信電力の総合が端末の最大許容送信電力以内に維持するようにする。さらに、ＳＲＳ送信電力とＰＵＳＣＨ送信電力をそれぞれ必要な送信電力より低い値と調節し、前記ＳＲＳシンボル１５０８位置でＰＵＳＣＨ送信電力とＳＲＳ送信電力の総合が端末の最大許容送信電力以内に維持するようにできる。
【００６９】
一般的に、ＰＵＳＣＨ送信電力はＰＵＳＣＨが送信される１つのサブフレーム内で一定するように維持して受信機動作を容易にする。したがって、実施形態によって前記ＳＲＳシンボル１５０８位置でＰＵＳＣＨ送信電力が調節されて送信される場合に、前記調節されたＰＵＳＣＨ送信電力の値は前記ＵｐＰＴＳ区間１５０７のうちのＳＲＳシンボル１５０８が送信される位置と重ねるＳＣ−ＦＤＭＡシンボル区間だけではなくサブフレーム内でＰＵＳＣＨが送信される残りのシンボル区間に対しても同様に適用することができる。
【００７０】
前記端末の送信電力調節時ＳＲＳ信号送信に優先させるか、あるいはＰＵＳＣＨ信号送信に優先させるか、若しくはＳＲＳ信号送信とＰＵＳＣＨ信号送信を優先順位無しに同等にさせるか否かは基地局が上位階層シグナリングを介して端末に通知して知らせることができる。
【００７１】
そして、前記方法１乃至方法４のうちのいずれか１つの方法を適用するかは事前に予め定義したり、又は基地局が上位階層シグナリングを介して端末に通知することができる。さらに、実施形態によって、前記ＰＵＳＣＨが初期送信であるかそれとも再送信であるか否かによって前記方法１乃至方法４のうちのいずれか１つの方法を適用するか定義することができる。例えば、ＰＵＳＣＨが初期送信であればＰＵＳＣＨ送信に優先させる前記方法１を適用し、ＰＵＳＣＨが再送信であればＳＲＳ送信に優先させる前記方法２又は方法３を適用することができる。何故ならばＰＵＳＣＨが再送信の場合であれば、基地局受信機で初期送信ＰＵＳＣＨと再送信ＰＵＳＣＨをアグリゲーションするＨＡＲＱプロセッシングを介してＰＵＳＣＨのデコーディング成功確率が高くなることができるので、相対的にＰＵＳＣＨの再送信時にはＳＲＳ送信に優先させることができる。
【００７２】
＜第４実施形態＞
第４実施形態は前記図４のような条件で、端末がＦＤＤセルでＰＵＳＣＨを送信すると共にＴＤＤセルでＳＲＳを送信しようとする場合に対する具体的な動作を定義する。第４実施形態は端末がＴＤＤセルでＵｐＰＴＳ区間の間の第１シンボル位置でＳＲＳを送信し、ＦＤＤセルでＰＵＳＣＨとＳＲＳを送信しようとする場合に対する方法を説明する。
【００７３】
１)方法１
図１６は、本発明の第４実施形態の方法１を示した図面である。
図１６を参照して方法１を説明すれば次の通りである。方法１は、端末がＴＤＤセル１６０２で送信しようとするＳＲＳシンボルは送信せず、ＦＤＤセル１６０１で送信しようとするＳＲＳはサブフレーム１６０３内の最後のシンボルにマッピングして送信する（１６１０)。
【００７４】
そして、ＦＤＤセル１６０１で送信しようとするデータはサブフレーム１６０３内のＳＲＳが送信される最後のシンボル区間１６１０及びＲＳシンボル位置１６１２、１６１３を除いた残りの区間に対してレートマッチングしてＰＵＳＣＨを構成して送信する(１６１１)。したがって、方法１はＦＤＤセル１６０１へのアップリンク信号送信、すなわち、ＰＵＳＣＨとＳＲＳ送信に優先させる特徴がある。
【００７５】
２)方法２
図１７は、本発明の第４実施形態の方法２を示した図面である。
図１７を参照して方法２を説明すれば次の通りである。方法２は、ＴＤＤセル１７０２のスペシャルサブフレーム１７０４で２つのＳＣ−ＦＤＭＡシンボル時間長さに該当するＵｐＰＴＳ区間１７０７の第１シンボル位置にＳＲＳシンボル１７０８を送信する。
【００７６】
ＦＤＤセル１７０１で送信しようとするＳＲＳはサブフレーム１７０３内の最後のシンボルにマッピングして送信する(１７１０)。そして、ＦＤＤセル１７０１で送信しようとするアップリンクデータに対してはサブフレーム１７０３内で前記ＵｐＰＴＳ区間１７０７及びＲＳシンボル位置１７１２、１７１３を除いた区間にかけてチャンネルコーディングされたアップリンクデータをレートマッチングしてＰＵＳＣＨを構成して送信する(１７１１)。したがって、前記サブフレーム１７０３の最後から第２シンボル１７０９にはアップリンク信号送信が成らない。  
【００７７】
方法２は、ＦＤＤセル１７０１で送信されるＰＵＳＣＨを構成するシンボル個数が減少することで発生することができるＰＵＳＣＨ送信損失を甘んじながら、ＴＤＤセル１７０２でできればＳＲＳ送信がなることによってＴＤＤセル１７０２のチャンネル状態を基地局が測定するようにする特徴がある。
【００７８】
３）方法３
図１８は、本発明の第４実施形態の方法３を示した図面である。
図１８を参照して方法３を説明すれば次の通りである。方法３は。ＴＤＤセル１８０２のスペシャルサブフレーム１８０４で２つのＳＣ−ＦＤＭＡシンボル時間長さに該当するＵｐＰＴＳ区間１８０７の第１シンボル位置でＳＲＳシンボル１８０８を送信する。そして、ＦＤＤセル１８０１の場合、サブフレーム１８０３内の最後のシンボル１８１０にＳＲＳをマッピングして送信する。そして、ＦＤＤセル１８０１のサブフレーム１８０３で前記ＳＲＳがマッピングされるシンボル１８１０及びＲＳシンボル位置１８１１、１８１２を除いた残りの区間の間のチャンネルコーディングされたアップリンクデータをレートマッチングしてＰＵＳＣＨを構成して送信する(１８０９)。
【００７９】
ただ、ＦＤＤセル１８０１とＴＤＤセル１８０２へのアップリンク信号送信が同時に発生する前記ＴＤＤセル１８０２のＳＲＳシンボル位置１８０８で、ＦＤＤセル１８０１に送信されるアップリンク信号の送信電力とＴＤＤセル１８０２で送信されるアップリンク信号の送信電力の総合が端末の最大許容送信電力以内に維持するようにするそれぞれのアップリンク信号の送信電力を調節することができる。この場合、実施形態によって前記第３実施形態の方法４と一緒に各セル別又はアップリンクに送信される信号タイプ別に優先順位を定義して送信電力調節ができる。
【００８０】
一般的に、ＰＵＳＣＨ送信電力はＰＵＳＣＨが送信される限りサブフレーム内で一定するように維持して受信機動作を容易にする。したがって、実施形態によってＦＤＤセル１８０１で前記ＳＲＳシンボル位置１８０８に対応する位置でＰＵＳＣＨ送信電力が調節されて送信される場合に、前記調節されたＰＵＳＣＨ送信電力の値は前記ＵｐＰＴＳ区間１８０７のうちのＳＲＳシンボル１８０８が送信される位置と重ねるＳＣ−ＦＤＭＡ シンボル区間だけではなくサブフレーム内でＰＵＳＣＨが送信される残りのシンボル区間に対しても同様に適用することができる。
【００８１】
前記端末の送信電力調節時のＳＲＳ信号送信に優先させるか、あるいはＰＵＳＣＨ信号送信に優先させるか、若しくはＳＲＳ信号送信とＰＵＳＣＨ信号送信を優先順位無しに同等にするか否かは基地局が上位階層シグナリングを介して端末に通知して知らせることができる。
【００８２】
そして、前記第１実施形態と類似に、前記方法１乃至方法３のうちのいずれか１つの方法を適用するかは事前に予め定義したり、若しくは基地局が上位階層シグナリングを介して端末に通知することができる。さらに、実施形態によって、前記ＰＵＳＣＨが初期送信であるかそれとも再送信であるか否かによって前記方法１乃至方法３のうちのいずれか１の方法を適用するか定義することができる。例えば、ＰＵＳＣＨが初期送信であればＰＵＳＣＨ送信に優先させる前記方法１を適用し、ＰＵＳＣＨが再送信であればＳＲＳ送信に優先させる前記方法２を適用することができる。何故ならば、ＰＵＳＣＨが再送信の場合であれば、基地局受信機で初期送信ＰＵＳＣＨと再送信ＰＵＳＣＨをアグリゲーションするＨＡＲＱプロセッシングを介してＰＵＳＣＨ のデコーディング成功確率が高くなることができるので、相対的にＰＵＳＣＨの再送信時にはＳＲＳ送信に優先させることができる。
【００８３】
＜第５実施形態＞
第５実施形態は前記図４のような条件で、端末がＦＤＤセルでアップリンク制御情報(ＵＣＩ：Ｕｐｌｉｎｋ Ｃｏｎｔｒｏｌ Ｉｎｆｏｒｍａｔｉｏｎ)を含むＰＵＳＣＨを送信すると共にＴＤＤセルでＳＲＳを送信しようとする場合に対する具体的な動作を定義する。
【００８４】
ＵＣＩは端末が基地局で送信するアップリンク制御情報として、基地局が端末に送信したダウンリンクデータに対するエラーであるか否かを表すＡＣＫ／ＮＡＣＫ、ダウンリンクチャンネル状態情報を表すチャンネル品質インジケーター(ＣＱＩ：Ｃｈａｎｎｅｌ Ｑｕａｌｉｔｙ Ｉｎｄｉｃａｔｏｒ)、ダウンリンクチャンネルのランク情報を表すランクインジケーター(ＲＩ：Ｒａｎｋ Ｉｎｄｉｃａｔｏｒ)、プリコーディング情報を表すプリコーディングマトリックスインジケーター(ＰＭＩ：Ｐｒｅ−ｃｏｄｉｎｇ Ｍａｔｒｉｘ Ｉｎｄｉｃａｔｏｒ)などを含む。この時、前記ＵＣＩのうちでＡＣＫ／ＮＡＣＫとＲＩは他のＵＣＩに比べて相対的に高い受信性能が要求される。したがって、ＡＣＫ／ＮＡＣＫとＲＩがＰＵＳＣＨにアップリンクデータと多重化される場合、時間領域でのマッピング位置がＲＳ周辺に配置されるように固定することによって、相対的に高いチャンネル推定利得を得るようにし、結果的に相対的に高い受信性能を得るようにできる。
【００８５】
図１９は、本発明の第５実施形態の方法を示した図面である。
以下、図１９を参照して説明すれば、ＡＣＫ／ＮＡＣＫはサブフレーム内のＲＳ１９０９、１９１０と側に接したシンボル位置１９１５、１９１６、１９１９、１９２０でアップリンクデータと多重化されるようにできる。そして、ＲＩは前記ＡＣＫ／ＮＡＣＫのマッピング位置と接したシンボル位置１９１４、１９１７、１９１８、１９２１でアップリンクデータと多重化となるようにできる。
【００８６】
もし、ＴＤＤセル１９０２のＵｐＰＴＳ区間１９０７でＳＲＳが送信される場合、前記第１実施形態乃至第４実施形態によれば、前記ＲＩがマッピングされることができるシンボル１９２１位置にアップリンク信号送信の不可能な方法がある。したがって、前記ＲＩがアップリンクデータと多重化されて送信される場合には、前記シンボル１９２１の送信が保障される方法を適用するようにできる。すなわち、第１実施形態の場合、方法１、方法３、方法４、第２実施形態の場合、方法１、方法３、第３実施形態の場合、方法１、方法４、第４実施形態の場合、方法１、方法３を適用することができる。
【００８７】
図２０は、本発明の一実施形態による基地局の手続きを示した図面である。
図２０を参考すれば、２００１段階で基地局は端末のＳＲＳ送信に対する制御情報として送信周期、ＳＲＳ送信用リソースなどを設定して端末に通知することができる。前記制御情報は上位階層シグナリングから構成することができる。
【００８８】
その後、２００２段階で基地局は端末にｎ番目のサブフレームでＰＵＳＣＨを送信することをスケジューリングする。そして、２００３段階で基地局は前記ｎ番目のサブフレームで前記端末のＰＵＳＣＨとＳＲＳの送信時点が重ねるか否かを判断する。
【００８９】
もし、前記端末のＰＵＳＣＨとＳＲＳの送信時点が重ならなければ２００５段階へ進行して ｎ番目のサブフレームで端末が送信したＰＵＳＣＨを受信することができる。
【００９０】
しかし、もし、前記ｎ番目のサブフレームで前記端末のＰＵＳＣＨとＳＲＳの送信時点が重なれば２００４段階へ進行して前記第１実施形態乃至第５実施形態で具体的に説明した方法を適用して端末からＰＵＳＣＨとＳＲＳを受信することができる。ここに関する具体的な説明は上述したから省略する。具体的にどんな方法を適用するかは端末と基地局の間に予め約束したり、又は基地局が端末に上位階層シグナリングを介して通知することができる。前記上位階層シグナリングは基地局が端末にＰＵＳＣＨをスケジューリングする２００２段階以前に成り立つことができる。
【００９１】
図２１は、本発明の一実施形態による端末の手続きを示した図面である。
図２１を参考すれば、２１０１段階で端末は基地局からＳＲＳ送信に対する制御情報として送信周期、ＳＲＳ送信用リソースなどを獲得することができる。前記制御情報は上位階層シグナリングから構成することができる。
【００９２】
その後、２１０２段階で端末は基地局からｎ番目のサブフレームでＰＵＳＣＨを送信することがスケジューリングされる。そして、２１０３段階で端末は前記ｎ番目のサブフレームでＰＵＳＣＨとＳＲＳの送信時点が重ねるか否かを判断する。
もし、前記端末のＰＵＳＣＨとＳＲＳの送信時点が重ならなければ２１０５段階へ進行してｎ番目のサブフレームで端末がＰＵＳＣＨを送信することができる。
【００９３】
しかし、もし、前記ｎ番目のサブフレームで前記端末のＰＵＳＣＨとＳＲＳの送信時点が重なれば２１０４段階へ進行して前記第１実施形態乃至第５実施形態で具体的に説明した方法を適用してＰＵＳＣＨとＳＲＳを送信することができる。ここに関する具体的な説明は上述したから省略する。
【００９４】
図２２は、本発明の一実施形態による端末の送信装置を示した図面である。
説明の便宜のために本発明と直接的な関連がない装置は、その図示及び説明を省略する。図２２を参照すれば、端末はＰＵＳＣＨブロック２２３１、マルチプレクサ２２３３、送信ＲＦブロック２２３５を含むＦＤＤセル送信部２２３０と、ＳＲＳブロック２２５１、マルチプレクサ２２５３、送信ＲＦブロック２２５５を含むＴＤＤセル送信部２２５０と、制御機２２１０と、を含むことができる。制御機２２１０は基地局から受信した制御情報を参照して端末のＰＵＳＣＨ送信とＳＲＳ送信動作に対して上述した実施形態の具体的な方法に応じてＦＤＤセル送信部２２３０とＴＤＤセル送信部２２５０のそれぞれの構成ブロックを制御することができる。
【００９５】
ＦＤＤセル送信部２２３０においてＰＵＳＣＨブロック２２３１はアップリンクデータに対してチャンネルコーディング、変調などのプロセスを行ってＰＵＳＣＨを生成する。ＦＤＤセルで送信される他のアップリンク送信信号がある場合、端末は前記生成したＰＵＳＣＨをマルチプレクサ２２３３からＦＤＤセルに送信される他のアップリンク送信信号と共に多重化した後、送信ＲＦブロック２２３５で信号処理した後、基地局へ送信する。
【００９６】
ＴＤＤセル送信部２２５０でＳＲＳブロック２２５１は基地局設定に応じてＳＲＳ信号を生成する。ＴＤＤセルで送信される他のアップリンク送信信号がある場合、端末は前記生成したＳＲＳをマルチプレクサ２２５３からＴＤＤセルに送信される他のアップリンク送信信号と共に多重化した後、送信ＲＦブロック２２５５で信号処理した後、基地局へ送信する。
【００９７】
図２３は、本発明の一実施形態による基地局の受信装置を示した図面である。
図２３を参照すれば、基地局はＰＵＳＣＨブロック２３３１、デマルチプレクサ２３３３、受信ＲＦブロック２３３５を含むＦＤＤセル受信部２３３０と、ＳＲＳブロック２３５１、デマルチプレクサ２３５３、受信ＲＦブロック２３５５を含むＴＤＤセル受信部２３５０と、制御機２３１０と、を含むことができる。制御機２３１０は端末が送信するＰＵＳＣＨとＳＲＳに対する基地局の受信動作を制御するため、上述した実施形態の具体的な方法に応じてＦＤＤセル受信部２３３０とＴＤＤセル受信部２３５０のそれぞれの構成ブロックを制御することができる。
【００９８】
ＦＤＤセル受信部２３３０は端末から受信した信号を受信ＲＦブロック２３３５で信号処理した後、デマルチプレクサ２３３３を介してＰＵＳＣＨ信号を分離した後、ＰＵＳＣＨブロック２３３１で復調、チャンネルデコーディングなどのプロセスを行ってアップリンクデータを獲得する。
【００９９】
ＴＤＤセル受信部２３５０は端末から受信した信号を受信ＲＦブロック２３５５で信号処理した後、デマルチプレクサ２３５３を介してＳＲＳ信号を分離した後、ＳＲＳブロック２３５１でアップリンクチャンネル状態情報を獲得する。
【０１００】
＜第６実施形態＞
図２４は、本発明の第６実施形態の方法を示した図面である。
第６実施形態は、端末がＦＤＤセル２４０１で制御情報送信のための物理チャンネルであるＰＵＣＣＨ(Ｐｈｙｓｉｃａｌ Ｕｐｌｉｎｋ Ｃｏｎｔｒｏｌ Ｃｈａｎｎｅｌ)２４１１を介してアップリンク制御情報(ＵＣＩ)を送信しながら、同時にＴＤＤセル２４０２でＳＲＳを送信しようとする場合に対する具体的な動作を定義する。前記ＵＣＩに対する具体的な説明は前記第５実施形態に係る部分で説明したのでこれに対する説明は省略する。
【０１０１】
１）方法１
方法１は、ＳＲＳの送信区間がサブフレーム内の最後の一つのシンボルの場合である。
図２４を参考すれば、ＰＵＣＣＨとＳＲＳ２４０９の送信時点が同一サブフレームで重ねる場合、ＰＵＣＣＨ２４１１のサブフレーム内の最後の一つのシンボル区間２４１０を送信しない短いＰＵＣＣＨフォーマット(ｓｈｏｒｔｅｎｅｄ ＰＵＣＣＨ ｆｏｒｍａｔ)を適用する。したがって、端末は前記最後のシンボル区間２４１０を除いた残りの時間区間の間にｓｈｏｒｔｅｎｅｄ ＰＵＣＣＨ ｆｏｒｍａｔを介してＵＣＩを送信することができる。そして、端末は前記サブフレームの最後のシンボル区間にはＳＲＳ２４０９を送信する。このような動作を介して同一時点にＰＵＣＣＨ２４１１とＳＲＳ２４０９の送信が共に起きる場合を防止することによって、端末の瞬間的な送信電力の総合が端末の最大許容送信電力以内に維持されるようにできる。
【０１０２】
この時、端末が前記ｓｈｏｒｔｅｎｅｄ ＰＵＣＣＨ ｆｏｒｍａｔを使用するか否かは基地局から予めシグナリングを介して通知されることができる。実施形態によって、もし、端末が基地局から前記ｓｈｏｒｔｅｎｅｄ ＰＵＣＣＨ ｆｏｒｍａｔを使用しないように通知された場合、端末はＰＵＣＣＨとＳＲＳの送信時点が同一サブフレームに重なればＰＵＣＣＨを前記サブフレームの全体時間区間の間の送信し、ＳＲＳは送信しないこともある。
【０１０３】
２）方法２
方法２は、ＳＲＳの送信区間がサブフレーム内の最後の２つのシンボルであるか、若しくは最後から２番目のシンボルの場合である。
この時、前記図４の場合のようにＴＤＤセル４０２のスペシャルサブフレームのＵｐＰＴＳ４０７が２個のＳＣ−ＦＤＭＡ シンボル長さほど設定され、前記ＵｐＰＴＳ４０７の２つのシンボルにかけてＴＤＤセル４０２のＳＲＳ送信がなるか、若しくはＵｐＰＴＳ４０７の第１シンボル区間にＴＤＤセル４０２のＳＲＳ送信がなる場合には前記方法１と異なる動作を定義する必要がある。
【０１０４】
すなわち、端末が基地局からｓｈｏｒｔｅｎｅｄ ＰＵＣＣＨ ｆｏｒｍａｔを使用するように通知された場合、端末はＰＵＣＣＨ２４１１とＳＲＳの送信時点が同一サブフレームに重なれば、前記サブフレームの前記最後の一つのシンボル区間２４１０を除いた残りの時間区間の間にｓｈｏｒｔｅｎｅｄ ＰＵＣＣＨ ｆｏｒｍａｔを介してＵＣＩを送信することができる。そして、端末は前記サブフレームの最後のシンボル区間にはＴＤＤセル２４０２のＳＲＳ２４０９を送信する。そして、前記サブフレームの最後から２番目のシンボル区間２４０８に送信する予定のＴＤＤセル２４０２のＳＲＳは送信しない。
【０１０５】
一方、もし、端末が基地局からｓｈｏｒｔｅｎｅｄ ＰＵＣＣＨ ｆｏｒｍａｔを使用しないように通知された場合、端末はＰＵＣＣＨとＳＲＳ送信時点が同一サブフレームに重なればＰＵＣＣ  Ｈ２４１１を前記サブフレームの全体時間区間の間の送信し、ＳＲＳは送信しない。
図２４を参照して端末にｓｈｏｒｔｅｎｅｄ ＰＵＣＣＨ ｆｏｒｍａｔの使用が設定された場合の前記方法２を具体的に説明すれば次の通りである。
【０１０６】
端末にｓｈｏｒｔｅｎｅｄ ＰＵＣＣＨ ｆｏｒｍａｔの使用が設定された場合、端末はＴＤＤセル２４０２のスペシャルサブフレーム２４０４で２つのＳＣ−ＦＤＭＡシンボル時間長さに該当するＵｐＰＴＳ区間２４０７のうちで、第１ＳＲＳシンボル２４０８は送信せず、第２ＳＲＳシンボル２４０９を送信することができる。この時、ＦＤＤセル２４０１の場合、前記ＵｐＰＴＳ区間２４０７の第２ＳＲＳシンボル２４０９と送信時点が重ねる最後のＳＣ−ＦＤＭＡシンボル区間２４１０にはＰＵＣＣＨを送信しない。そして、ＦＤＤセル２４０１の当該サブフレーム２４０３内で前記最後のＳＣ−ＦＤＭＡシンボル位置２４１０及びＲＳシンボル位置２４１２、２４１３を除いた残りの時間区間の間チャンネルコーディングされたＵＣＩをｓｈｏｒｔｅｎｅｄ ＰＵＣＣＨ ｆｏｒｍａｔが適用されたＰＵＣＣＨ２４１１を構成して送信することができる。この時、実施形態によって、ＰＵＣＣＨ送信時のＲＳシンボル位置２４１２、２４１３はＰＵＳＣＨ送信時のＲＳシンボル位置(例えば、前記図５に示された例示での５１２、５１３)と異なることができる。
【０１０７】
図２５は、本発明の第６実施形態による基地局の手続きを示した図面である。
図２５を参考すれば、２５０１段階で基地局は端末のＰＵＣＣＨ送信関連制御情報を設定して端末に通知する。前記制御情報には端末のｓｈｏｒｔｅｎｅｄ ＰＵＣＣＨ ｆｏｒｍａｔ使用するか否かなどの制御情報を含むことができる。実施形態によって、前記制御情報は上位階層シグナリングから構成することができる。
【０１０８】
そして、２５０２段階で基地局は端末のＳＲＳ送信に対する制御情報として送信周期、ＳＲＳ送信用リソースなどを設定して端末に通知することができる。実施形態によって、前記制御情報は上位階層シグナリングから構成することができる。
一方、実施形態によって、前記２５０１段階と２５０２段階の順序では互いに後先になることができ、同時になることもできる。
【０１０９】
その後、２５０３段階で基地局は端末からアップリンク信号を受信しようとするｎ番目のサブフレーム(ｓｕｂｆｒａｍｅ＃ｎ)で前記端末のＵＣＩ送信のためのＰＵＣＣＨとＳＲＳの送信時点が重ねるか否かを判断する。この時、基地局は前記端末のＳＲＳ送信時点を前記２５０２段階で設定した情報に応じて判断することができる。そして、実施形態によって、基地局は前記サブフレーム＃ｎに対応されるサブフレーム＃ｎ−４時点に基地局が端末にダウンリンクデータを送信した場合、前記サブフレーム＃ｎに端末がＰＵＣＣＨでＨＡＲＱ−ＡＣＫ／ＮＡＣＫを含んで送信することを分かる。
【０１１０】
もし、前記端末のＰＵＣＣＨとＳＲＳの送信時点が重ならなければ２５０６段階へ進行して前記サブフレーム＃ｎで端末が送信したＰＵＣＣＨを受信することができる。この場合、ＰＵＣＣＨは ｓｈｏｒｔｅｎｅｄ ＰＵＣＣＨ ｆｏｒｍａｔではない一般的なＰＵＣＣＨである。
【０１１１】
しかし、もし、前記サブフレーム＃ｎで前記端末のＰＵＣＣＨとＳＲＳの送信時点が重なれば、基地局は２５０４段階へ進行して前記端末にｓｈｏｒｔｅｎｅｄ ＰＵＣＣＨ ｆｏｒｍａｔの使用を設定したか否かを確認することができる。
【０１１２】
もし、前記端末にｓｈｏｒｔｅｎｅｄ ＰＵＣＣＨ ｆｏｒｍａｔの使用を設定した場合、基地局は２５０５段階で前記端末から前記第６実施形態の方法１又は方法２によってｓｈｏｒｔｅｎｅｄ ＰＵＣＣＨ ｆｏｒｍａｔを適用したＰＵＣＣＨとＳＲＳを受信することができる。
【０１１３】
すなわち、ＳＲＳの送信区間がサブフレーム内の最後の一つのシンボルの場合、前記第６実施形態の方法１に応じて、ＳＲＳの送信区間がスペシャルサブフレーム内の最後の２つのシンボルであるか、若しくは最終の２番目のンボルの場合、前記第６実施形態の方法２に応じてＰＵＣＣＨとＳＲＳを受信することができる。これに対する具体的な説明は上述したから省略する。
【０１１４】
しかし、前記２５０４段階での確認結果、前記端末にｓｈｏｒｔｅｎｅｄ ＰＵＣＣＨ ｆｏｒｍａｔの使用を設定しない場合、基地局は２５０６段階へ進行して端末が送信したＰＵＣＣＨを受信することができる。この場合、ＰＵＣＣＨはｓｈｏｒｔｅｎｅｄ ＰＵＣＣＨ ｆｏｒｍａｔではない一般的なＰＵＣＣＨである。
【０１１５】
図２６は、本発明の第６実施形態による端末の手続きを示した図面である。
図２６を参考すれば、２６０１段階で端末は基地局からＰＵＣＣＨ送信関連設定情報を獲得する。前記設定情報は端末のｓｈｏｒｔｅｎｅｄ ＰＵＣＣＨ ｆｏｒｍａｔ使用するか否かなどの制御情報を含むことができる。
【０１１６】
そして、２６０２段階で端末は基地局からＳＲＳ送信に対する制御情報として送信周期、ＳＲＳ送信用リソースなどを獲得することができる。実施形態によって、前記制御情報は上位階層シグナリングから構成することができる。
一方、実施形態によって、前記２６０１段階と２６０２段階の順序は互いに後先になることができ、同時になることもできる。
【０１１７】
その後、２６０３段階で端末はｎ番目のサブフレーム(ｓｕｂｆｒａｍｅ＃ｎ)でＰＵＣＣＨとＳＲＳの送信時点が重ねるか否かを判断する。この時、端末は前記２６０２段階で獲得したＳＲＳ設定情報によってＳＲＳ送信時点を判断することができる。そして、実施形態によって、端末は前記サブフレーム＃ｎに対応されるサブフレーム＃ｎ−４時点に基地局が端末にダウンリンクデータを送信した場合、前記サブフレーム＃ｎにＰＵＣＣＨ に ＨＡＲＱ−ＡＣＫ／ＮＡＣＫを含んで送信することができる。
【０１１８】
もし、前記端末のＰＵＣＣＨとＳＲＳの送信時点が重ならなければ２６０６段階へ進行してサブフレーム＃ｎで端末がＰＵＣＣＨを送信することができる。この場合、ＰＵＣＣＨはｓｈｏｒｔｅｎｅｄ ＰＵＣＣＨ ｆｏｒｍａｔではない一般的なＰＵＣＣＨである。
【０１１９】
しかし、もし、前記サブフレーム＃ｎで前記端末のＰＵＣＣＨとＳＲＳの送信時点が重なれば、端末は２６０４段階へ進行して基地局の設定情報によってｓｈｏｒｔｅｎｅｄ ＰＵＣＣＨ ｆｏｒｍａｔ使用するか否かを確認することができる。
【０１２０】
もし、端末が基地局からｓｈｏｒｔｅｎｅｄ ＰＵＣＣＨ ｆｏｒｍａｔを使用するように設定された場合、端末は２６０５段階で前記第６実施形態の方法１又は方法２によってｓｈｏｒｔｅｎｅｄ ＰＵＣＣＨ ｆｏｒｍａｔを適用したＰＵＣＣＨとＳＲＳを送信することができる。すなわち、ＳＲＳの送信区間がサブフレーム内の最後の一つのシンボルの場合、前記第６実施形態の方法１に応じて、ＳＲＳの送信区間がスペシャルサブフレーム内の最後の２つのシンボルであるか、若しくは最後から２番目のシンボルの場合、前記第６実施形態の方法２に応じてＰＵＣＣＨとＳＲＳを受信することができる。これに対する具体的な説明は上述したから省略する。
【０１２１】
しかし、前記２６０４段階での確認結果、基地局からｓｈｏｒｔｅｎｅｄ ＰＵＣＣＨ ｆｏｒｍａｔを使用しないように設定された場合、端末は２６０６段階へ進行してＰＵＣＣＨを送信することができる。この場合、ＰＵＣＣＨはｓｈｏｒｔｅｎｅｄ ＰＵＣＣＨ ｆｏｒｍａｔではない一般的なＰＵＣＣＨである。
【０１２２】
図２７は、本発明の他の一実施形態による端末の送信装置を示した図面である。
説明の便宜のために本発明と直接的が関連がない装置はその図示及び説明を省略する。図２７を参照すれば、端末はＰＵＣＣＨブロック２７３１、マルチプレクサ２７３３、送信ＲＦブロック２７３５を含むＦＤＤセル送信部２７３０と、ＳＲＳブロック２７５１、マルチプレクサ２７５３、送信ＲＦブロック２７５５を含むＴＤＤセル送信部２７５０と、制御機２７１０と、を含むことができる。制御機２７１０は基地局から受信した制御情報を参照して端末のＰＵＣＣＨ送信とＳＲＳ送信動作に対して上述した第６実施形態の具体的な方法によってＦＤＤセル送信部２７３０とＴＤＤセル送信部２７５０のそれぞれの構成ブロックを制御することができる。
【０１２３】
ＦＤＤセル送信部２７３０においてＰＵＣＣＨブロック２７３１はＵＣＩに対してチャンネルコーディング、変調などのプロセスを行ってＰＵＣＣＨを生成する。ＦＤＤセルで送信される他のアップリンク送信信号がある場合、端末は前記生成したＰＵＣＣＨをマルチプレクサ２７３３からＦＤＤセルに送信される他のアップリンク送信信号と共に多重化した後、送信ＲＦブロック２７３５で信号処理した後、基地局へ送信する。
【０１２４】
ＴＤＤセル送信部２７５０においてＳＲＳブロック２７５１は基地局設定によってＳＲＳ信号を生成する。ＴＤＤセルで送信される他のアップリンク送信信号がある場合、端末は前記生成したＳＲＳをマルチプレクサ２７５３からＴＤＤセルに送信される他のアップリンク送信信号と共に多重化した後、送信ＲＦブロック２７５５で信号処理した後、基地局へ送信する。
【０１２５】
一方、図示しないが、前記端末のＦＤＤセル送信部２７３０は、ＰＵＳＣＨブロックをさらに含むことができる。この時、制御機２７１０は基地局から受信した制御情報を参照して端末のＰＵＳＣＨ送信とＳＲＳ送信動作に対して上述した第１実施形態乃至第５実施形態の具体的な方法によってＦＤＤセル送信部２７３０とＴＤＤセル送信部２７５０のそれぞれの構成ブロックを制御することができる。
【０１２６】
図２８は、本発明の他の一実施形態による基地局の受信装置を示した図面である。
図２８を参照すれば、基地局はＰＵＣＣＨブロック２８３１、デマルチプレクサ２８３３、受信ＲＦブロック２８３５を含むＦＤＤセル受信部２８３０と、ＳＲＳブロック２８５１、デマルチプレクサ２８５３、受信ＲＦブロック２８５５を含むＴＤＤセル受信部２８５０と、制御機２８１０と、を含むことができる。制御機２８１０とは端末が送信するＰＵＣＣＨとＳＲＳに対する基地局の受信動作を制御するため、前記第６実施形態の具体的な方法によってＦＤＤセル受信部２８３０とＴＤＤセル受信部２８５０のそれぞれの構成ブロックを制御することができる。
【０１２７】
ＦＤＤセル受信部２８３０は端末から受信した信号を受信ＲＦブロック２８３５で信号処理した後、デマルチプレクサ２８３３を介してＰＵＣＣＨ信号を分離した後、ＰＵＣＣＨブロック２８３１から復調、チャンネルデコーディングなどのプロセスを行ってＵＣＩを獲得する。
【０１２８】
ＴＤＤセル受信部２８５０は端末から受信した信号を受信ＲＦブロック２８５５で信号処理した後、デマルチプレクサ２８５３を介してＳＲＳ信号を分離した後、ＳＲＳブロック２８５１でアップリンクチャンネル状態情報を獲得する。
【０１２９】
一方、図示しないが、前記基地局のＦＤＤセル受信部２８３０は、ＰＵＳＣＨブロックをさらに含むことができる。この時、制御機２８１０は端末が送信するＰＵＳＣＨとＳＲＳに対する基地局の受信動作を制御するため、上述した第１実施形態乃至第５実施形態の具体的な方法によってＦＤＤセル受信部２８３０とＴＤＤセル受信部２８５０のそれぞれの構成ブロックたちを制御することができる。
【０１３０】
一方、本明細書と図面に開示された本発明の実施形態は本発明の技術内容を容易に説明して本発明の理解を助けるために特定例を提示したものであって、本発明の範囲を限定しようとするものではない。すなわち、本発明の技術的思想に基づいた他の変形形態が実施可能であるということは本発明の属する技術分野で通常の知識を有する者に自明なものである。
【０１３１】
したがって、前記の詳細な説明はすべての面で制限的に解釈されてはならず例示的なことで考慮されなければならない。本発明の範囲は添付された請求項の合理的解釈により決定されるべきであり、本発明の等価的範囲内でのすべての変更は本発明の範囲に含まれる。
【符号の説明】
【０１３２】
２０２  基地局
２０４、２０６  カバレッジ
３０１  ＤｗＰＴＳ
３０２  ＧＰ
３０３  ＵｐＰＴＳ
【図１】
2019126069.tif 000004
【図２】
2019126069.tif 000005
【図３】
2019126069.tif 000006
【図４】
2019126069.tif 000007
【図５】
2019126069.tif 000008
【図６】
2019126069.tif 000009
【図７】
2019126069.tif 000010
【図８】
2019126069.tif 000011
【図９】
2019126069.tif 000012
【図１０】
2019126069.tif 000013
【図１１】
2019126069.tif 000014
【図１２】
2019126069.tif 000015
【図１３】
2019126069.tif 000016
【図１４】
2019126069.tif 000017
【図１５】
2019126069.tif 000018
【図１６】
2019126069.tif 000019
【図１７】
2019126069.tif 000020
【図１８】
2019126069.tif 000021
【図１９】
2019126069.tif 000022
【図２０】
2019126069.tif 000023
【図２１】
2019126069.tif 000024
【図２２】
2019126069.tif 000025
【図２３】
2019126069.tif 000026
【図２４】
2019126069.tif 000027
【図２５】
2019126069.tif 000028
【図２６】
2019126069.tif 000029
【図２７】
2019126069.tif 000030
【図２８】
2019126069.tif 000031
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
第１セルが周波数分割デュプレックス（ｆｒｅｑｕｅｎｃｙ  ｄｉｖｉｓｉｏｎ  ｄｕｐｌｅｘ、ＦＤＤ）モードで動作する端末の信号伝送方法であって、
時分割デュプレックス（ｔｉｍｅ  ｄｉｖｉｓｉｏｎ  ｄｕｐｌｅｘ、ＴＤＤ）モードで動作する第２セル上のＵｐＰＴＳ（ｕｐｌｉｎｋ  ｐｉｌｏｔ  ｔｉｍｅ  ｓｌｏｔ）内の２つのシンボル上におけるＳＲＳ（ｓｏｕｎｄｉｎｇ  ｒｅｆｅｒｅｎｃｅ  ｓｉｇｎａｌ）伝送を設定する情報を受信する段階と、
前記第１セル上のアップリンクデータ伝送が、前記第２セル上のＳＲＳ伝送と第１サブフレームで重複するかを確認する段階と、
前記アップリンクデータ伝送が前記ＳＲＳ伝送と前記第１サブフレームで重複する場合、ＳＲＳを前記第２セルの前記第１サブフレーム内の前記ＵｐＰＴＳのうち２番目のシンボル上において伝送する段階と、を含むことを特徴とする方法。
【請求項２】
アップリンクデータを、前記第１セルの前記第１サブフレームの最後のシンボルを除いた複数のシンボル上において伝送する段階をさらに含むことを特徴とする、請求項１に記載の方法。
【請求項３】
前記第２セルの前記第１サブフレーム内の前記ＵｐＰＴＳのうち１番目のシンボル上において、前記ＳＲＳ伝送をドロップ（ｄｒｏｐ）する段階をさらに含むことを特徴とする、請求項１に記載の方法。
【請求項４】
前記第１セル上のアップリンク制御情報伝送が、前記第２セル上のＳＲＳ伝送と第２サブフレームで重複するか否かと、短い物理アップリンク制御チャンネル（ｐｈｙｓｉｃａｌ  ｕｐｌｉｎｋ  ｃｏｎｔｒｏｌ  ｃｈａｎｎｅｌ、ＰＵＣＣＨ）フォーマットが使用されるように設定されたか否かとを確認する段階と、
前記アップリンク制御情報伝送と前記ＳＲＳ伝送が、前記第２サブフレームで重複し、前記短いＰＵＣＣＨフォーマットが使用されるように設定された場合、前記ＳＲＳを前記第２セルの前記第２サブフレーム内の前記ＵｐＰＴＳのうち２番目のシンボル上において伝送する段階と、
アップリンク制御情報を前記第１セルの前記第２サブフレームで前記短いＰＵＣＣＨフォーマットを使用して伝送する段階と、を含むことを特徴とする、請求項１に記載の方法。
【請求項５】
前記第２セルの前記第２サブフレーム内の前記ＵｐＰＴＳのうち１番目のシンボル上において、前記ＳＲＳ伝送をドロップ（ｄｒｏｐ）する段階をさらに含むことを特徴とする、請求項４に記載の方法。
【請求項６】
基地局の信号伝送方法であって、
時分割デュプレックス（ｔｉｍｅ  ｄｉｖｉｓｉｏｎ  ｄｕｐｌｅｘ、ＴＤＤ）モードで動作する第２セル上のＵｐＰＴＳ（ｕｐｌｉｎｋ  ｐｉｌｏｔ  ｔｉｍｅ  ｓｌｏｔ）内の２つのシンボル上におけるＳＲＳ（ｓｏｕｎｄｉｎｇ  ｒｅｆｅｒｅｎｃｅ  ｓｉｇｎａｌ）伝送を設定する情報を端末に伝送する段階と、
前記端末の周波数分割デュプレックス（ｆｒｅｑｕｅｎｃｙ  ｄｉｖｉｓｉｏｎ  ｄｕｐｌｅｘ、ＦＤＤ）モードで動作する第１セル上のアップリンクデータ受信と、前記第２セル上のＳＲＳ受信とが第１サブフレームで重複するかを確認する段階と、
前記アップリンクデータ受信と前記ＳＲＳ受信が前記第１サブフレームで重複する場合、ＳＲＳを前記第２セルの前記第１サブフレーム内の前記ＵｐＰＴＳのうち２番目のシンボル上において前記端末から受信する段階と、を含むことを特徴とする方法。
【請求項７】
アップリンクデータを、前記第１セルの前記第１サブフレームの最後のシンボルを除いた複数のシンボル上において前記端末から受信する段階をさらに含むことを特徴とする、請求項６に記載の方法。
【請求項８】
前記第２セルの前記第１サブフレーム内の前記ＵｐＰＴＳのうち１番目のシンボル上において、前記ＳＲＳ受信が行われないことを特徴とする、請求項６に記載の方法。
【請求項９】
前記端末の前記第１セル上のアップリンク制御情報受信と、前記第２セル上のＳＲＳ受信とが、第２サブフレームで重複するか否かと、前記端末に短い物理アップリンク制御チャンネル（ｐｈｙｓｉｃａｌ  ｕｐｌｉｎｋ  ｃｏｎｔｒｏｌ  ｃｈａｎｎｅｌ、ＰＵＣＣＨ）フォーマットが使用されるように設定されたか否かとを確認する段階と、
前記アップリンク制御情報受信と前記ＳＲＳ受信が、前記第２サブフレームで重複し、前記短いＰＵＣＣＨフォーマットが使用されるように設定された場合、前記ＳＲＳを前記第２セルの前記第２サブフレーム内の前記ＵｐＰＴＳのうち２番目のシンボル上において前記端末から受信する段階と、
アップリンク制御情報を前記第１セルの前記第２サブフレームで前記短いＰＵＣＣＨフォーマットを使用して前記端末から受信する段階と、を含むことを特徴とする、請求項６に記載の方法。
【請求項１０】
前記第２セルの前記第２サブフレーム内の前記ＵｐＰＴＳのうち１番目のシンボル上にいて、前記ＳＲＳ受信が行われないことを特徴とする、請求項９に記載の方法。
【請求項１１】
第１セルが周波数分割デュプレックス（ｆｒｅｑｕｅｎｃｙ  ｄｉｖｉｓｉｏｎ  ｄｕｐｌｅｘ、ＦＤＤ）モードで動作する端末の信号伝送方法であって、
送受信部と、
時分割デュプレックス（ｔｉｍｅ  ｄｉｖｉｓｉｏｎ  ｄｕｐｌｅｘ、ＴＤＤ）モードで動作する第２セル上のＵｐＰＴＳ（ｕｐｌｉｎｋ  ｐｉｌｏｔ  ｔｉｍｅ  ｓｌｏｔ）内の２つのシンボル上におけるＳＲＳ（ｓｏｕｎｄｉｎｇ  ｒｅｆｅｒｅｎｃｅ  ｓｉｇｎａｌ）伝送を設定する情報を受信し、
前記第１セル上のアップリンクデータ伝送が、前記第２セル上のＳＲＳ伝送と第１サブフレームで重複するかを確認し、
前記アップリンクデータ伝送が前記ＳＲＳ伝送と前記第１サブフレームで重複する場合、ＳＲＳを前記第２セルの前記第１サブフレーム内の前記ＵｐＰＴＳのうち２番目のシンボル上において伝送するように制御する前記送受信部と接続された制御部と、を含むことを特徴とする端末。
【請求項１２】
前記制御部は、
アップリンクデータを、前記第１セルの前記第１サブフレームの最後のシンボルを除いた複数のシンボル上において伝送するようにさらに制御することを特徴とする、請求項１１に記載の端末。
【請求項１３】
前記制御部は、
前記第２セルの前記第１サブフレーム内の前記ＵｐＰＴＳのうち１番目のシンボル上において、前記ＳＲＳ伝送をドロップ（ｄｒｏｐ）するようにさらに制御することを特徴とする、請求項１１に記載の端末。
【請求項１４】
前記制御部は、
前記第１セル上のアップリンク制御情報伝送が、前記第２セル上のＳＲＳ伝送と第２サブフレームで重複するか否かと、短い物理アップリンク制御チャンネル（ｐｈｙｓｉｃａｌ  ｕｐｌｉｎｋ  ｃｏｎｔｒｏｌ  ｃｈａｎｎｅｌ、ＰＵＣＣＨ）フォーマットが使用されるように設定されたか否かとを確認し、
前記アップリンク制御情報伝送と前記ＳＲＳ伝送が、前記第２サブフレームで重複し、前記短いＰＵＣＣＨフォーマットが使用されるように設定された場合、前記ＳＲＳを前記第２セルの前記第２サブフレーム内の前記ＵｐＰＴＳのうち２番目のシンボル上において伝送し、
アップリンク制御情報を前記第１セルの前記第２サブフレームで前記短いＰＵＣＣＨフォーマットを使用して伝送するようにさらに制御することを特徴とする、請求項１１に記載の端末。
【請求項１５】
前記制御部は、
前記第２セルの前記第２サブフレーム内の前記ＵｐＰＴＳのうち１番目のシンボル上において、前記ＳＲＳ伝送をドロップ（ｄｒｏｐ）するようにさらに制御することを特徴とする、請求項１４に記載の端末。
【請求項１６】
基地局の信号伝送方法であって、
送受信部と、
時分割デュプレックス（ｔｉｍｅ  ｄｉｖｉｓｉｏｎ  ｄｕｐｌｅｘ、ＴＤＤ）モードで動作する第２セル上のＵｐＰＴＳ（ｕｐｌｉｎｋ  ｐｉｌｏｔ  ｔｉｍｅ  ｓｌｏｔ）内の２つのシンボル上におけるＳＲＳ（ｓｏｕｎｄｉｎｇ  ｒｅｆｅｒｅｎｃｅ  ｓｉｇｎａｌ）伝送を設定する情報を端末に伝送し、
前記端末の周波数分割デュプレックス（ｆｒｅｑｕｅｎｃｙ  ｄｉｖｉｓｉｏｎ  ｄｕｐｌｅｘ、ＦＤＤ）モードで動作する第１セル上のアップリンクデータ受信と、前記第２セル上のＳＲＳ受信とが第１サブフレームで重複するかを確認し、
前記アップリンクデータ受信と前記ＳＲＳ受信が前記第１サブフレームで重複する場合、ＳＲＳを前記第２セルの前記第１サブフレーム内の前記ＵｐＰＴＳのうち２番目のシンボル上において前記端末から受信するように制御する前記送受信部と接続された制御部と、を含むことを特徴とする基地局。
【請求項１７】
前記制御部は、
アップリンクデータを、前記第１セルの前記第１サブフレームの最後のシンボルを除いた複数のシンボル上において前記端末から受信するようにさらに制御することを特徴とする、請求項１６に記載の基地局。
【請求項１８】
前記第２セルの前記第１サブフレーム内の前記ＵｐＰＴＳのうち１番目のシンボル上において、前記ＳＲＳ受信が行われないことを特徴とする、請求項１６に記載の基地局。
【請求項１９】
前記制御部は、
前記端末の前記第１セル上のアップリンク制御情報受信と、前記第２セル上のＳＲＳ受信とが、第２サブフレームで重複するか否かと、前記端末に短い物理アップリンク制御チャンネル（ｐｈｙｓｉｃａｌ  ｕｐｌｉｎｋ  ｃｏｎｔｒｏｌ  ｃｈａｎｎｅｌ、ＰＵＣＣＨ）フォーマットが使用されるように設定されたか否かとを確認し、
前記アップリンク制御情報受信と前記ＳＲＳ受信が、前記第２サブフレームで重複し、前記短いＰＵＣＣＨフォーマットが使用されるように設定された場合、前記ＳＲＳを前記第２セルの前記第２サブフレーム内の前記ＵｐＰＴＳのうち２番目のシンボル上において前記端末から受信し、
アップリンク制御情報を前記第１セルの前記第２サブフレームで前記短いＰＵＣＣＨフォーマットを使用して前記端末から受信するようにさらに制御することを特徴とする、請求項１６に記載の基地局。
【請求項２０】
前記第２セルの前記第２サブフレーム内の前記ＵｐＰＴＳのうち１番目のシンボル上において、前記ＳＲＳ受信が行われないことを特徴とする、請求項１９に記載の基地局。